(57)【要約】      （修正有）【課題】効率的に通信を行なうなうための、基地局装置、端末装置および方法を提供する。【解決手段】基地局装置は、ＥＮ−ＤＣ（EUTRA NR Dual Connectivity）設定及びＤＣＩフォーマットを送信する送信部と、を備える。ＥＮ−ＤＣ設定に、ＥＵＴＲＡセルに対するシングル送信に関するパラメータをセットする場合、且つ、プライマリセルのデュプレックスモードがＦＤＤである場合、ＤＣＩフォーマットをＣ−ＲＮＴＩによって与えられたＵＳＳ（UE specific Search Space）にマップするとすれば、ＤＣＩフォーマットに含まれるＨＰＮ（HARQ process number）フィールドのビット数を４ビットにセットし、ＤＣＩフォーマットをＣＳＳ（Common Search Space）にマップするとすれば、ＤＣＩフォーマットに含まれるＨＰＮフィールドのビット数を３ビットにセットする。【選択図】図７
2019140634.tif 000002
【特許請求の範囲】
【請求項１】
ＥＮ−ＤＣ（EUTRA NR Dual Connectivity）設定およびＤＣＩ（Downlink Control Information）フォーマットを送信する送信部と、を備え、
前記ＥＮ−ＤＣ設定に、ＥＵＴＲＡセルに対するシングル送信に関するパラメータをセットする場合、且つ、プライマリセルのデュプレックスモードがＦＤＤ（Frequency Division Duplex）である場合、
前記ＤＣＩフォーマットをＣ−ＲＮＴＩ（Cell Radio Network Temporary Identifier
）によって与えられたＵＳＳ（UE specific Search Space）にマップするとすれば、前記ＤＣＩフォーマットに含まれるＨＰＮ（HARQ process number）フィールドのビット数を
４ビットにセットし、
前記ＤＣＩフォーマットをＣＳＳ（Common Search Space）にマップするとすれば、前
記ＤＣＩフォーマットに含まれるＨＰＮフィールドのビット数を３ビットにセットする
基地局装置。
【請求項２】
ＥＮ−ＤＣ（EUTRA NR Dual Connectivity）設定およびＤＣＩ（Downlink Control Information）フォーマットを受信する受信部と、を備え、
ＥＮ−ＤＣ設定において、ＥＵＴＲＡセルに対するシングル送信に関するパラメータが設定されている場合、且つ、プライマリセルのデュプレックスモードがＦＤＤ（Frequency Division Duplex）である場合、
前記ＤＣＩフォーマットがＣ−ＲＮＴＩ（Cell Radio Network Temporary Identifier
）によって与えられたＵＳＳ（UE specific Search Space）にマップされているとすれば、前記ＤＣＩフォーマットに含まれるＨＰＮ（HARQ process number）フィールドのビッ
ト数が４ビットにセットされるものとしてデコーディングを行ない、
前記ＤＣＩフォーマットがＣＳＳ（Common Search Space）にマップされているとすれ
ば、前記ＤＣＩフォーマットに含まれるＨＰＮフィールドのビット数が３ビットにセットされるものとしてデコーディングを行なう
端末装置。
【請求項３】
ＥＮ−ＤＣ（EUTRA NR Dual Connectivity）設定およびＤＣＩ（Downlink Control Information）フォーマットを送信するステップと、
前記ＥＮ−ＤＣ設定に、ＥＵＴＲＡセルに対するシングル送信に関するパラメータをセットする場合、且つ、プライマリセルのデュプレックスモードがＦＤＤ（Frequency Division Duplex）である場合、
前記ＤＣＩフォーマットをＣ−ＲＮＴＩ（Cell Radio Network Temporary Identifier
）によって与えられたＵＳＳ（UE specific Search Space）にマップするとすれば、前記ＤＣＩフォーマットに含まれるＨＰＮ（HARQ process number）フィールドのビット数を
４ビットにセットするステップと、
前記ＤＣＩフォーマットをＣＳＳ（Common Search Space）にマップするとすれば、前
記ＤＣＩフォーマットに含まれるＨＰＮフィールドのビット数を３ビットにセットするステップと、を含む
基地局装置の方法。
【請求項４】
ＥＮ−ＤＣ（EUTRA NR Dual Connectivity）設定およびＤＣＩ（Downlink Control Information）フォーマットを受信するステップと、
前記ＥＮ−ＤＣ設定において、ＥＵＴＲＡセルに対するシングル送信に関するパラメータが設定されている場合、且つ、プライマリセルのデュプレックスモードがＦＤＤ（Frequency Division Duplex）である場合、
前記ＤＣＩフォーマットがＣ−ＲＮＴＩ（Cell Radio Network Temporary Identifier
）によって与えられたＵＳＳ（UE specific Search Space）にマップされているとすれば
、前記ＤＣＩフォーマットに含まれるＨＰＮ（HARQ process number）フィールドのビッ
ト数が４ビットにセットされるものとしてデコーディングを行なうステップと、
前記ＤＣＩフォーマットがＣＳＳ（Common Search Space）にマップされているとすれ
ば、前記ＤＣＩフォーマットに含まれるＨＰＮフィールドのビット数が３ビットにセットされるものとしてデコーディングを行なうステップと、を含む
端末装置の方法。
【発明の詳細な説明】
【技術分野】
【０００１】
本発明の実施形態は、効率的な通信を実現する基地局装置、端末装置および方法の技術に関する。
【背景技術】
【０００２】
標準化プロジェクトである３ＧＰＰ（3rd Generation Partnership Project）において、ＯＦＤＭ（Orthogonal Frequency Division Multiplexing）通信方式やリソースブロックと呼ばれる所定の周波数・時間単位の柔軟なスケジューリングの採用によって、高速な通信を実現させたＥＵＴＲＡ（Evolved Universal Terrestrial Radio Access）の標準化が行なわれた。なお、ＥＵＴＲＡにおける標準化技術を採用した通信全般をＬＴＥ（Long
Term Evolution）通信と称する場合もある。
【０００３】
また、３ＧＰＰでは、より高速なデータ伝送を実現し、ＥＵＴＲＡに対して上位互換性を持つＡ−ＥＵＴＲＡ（Advanced EUTRA）が検討されている。ＥＵＴＲＡでは、基地局装置がほぼ同一のセル構成（セルサイズ）から成るネットワークを前提とした通信システムであったが、Ａ−ＥＵＴＲＡでは、異なる構成の基地局装置（セル）が同じエリアに混在しているネットワーク（異種無線ネットワーク、ヘテロジニアスネットワーク）を前提とした通信システムの検討が行なわれている。また、Ａ−ＥＵＴＲＡでは、異なる基地局装置（eNB）によって構成されるＣＧ（Cell Group）を用いて同時に通信を行なうＤＣ（Dual Connectivity）が採用されている。
【０００４】
また、３ＧＰＰでは、第５世代無線通信を想定したＮＲ（New Radio）が検討されてい
る。ＮＲはＥＵＴＲＡとは異なるＲＡＴ（Radio Access Technology）として定義されて
いる。ＥＵＴＲＡの基地局装置およびＮＲの基地局装置によって構成されるＣＧを用いたＤＣであるＥＮ−ＤＣ（EUTRA NR Dual Connectivity）が採用されている（非特許文献２）。
【先行技術文献】
【非特許文献】
【０００５】
【非特許文献１】”3GPP TR 36.881 v.0.5.0 (2015-11)”, R2-157181, 4th Dec. 2015.
【非特許文献２】”3GPP TS 37.340 v.15.0.0 (2017-12)”, Dec. 2017.
【発明の概要】
【発明が解決しようとする課題】
【０００６】
通信装置（端末装置および／または基地局装置）において、効率的な通信を行なうことができない場合がある。
【０００７】
本発明は上記の点に鑑みてなされたものであり、その目的は、効率的に通信を行なうための、基地局装置、端末装置および方法を提供することである。
【課題を解決するための手段】
【０００８】
（１）上記の目的を達成するために、本発明は、以下のような手段を講じた。すなわち、本発明の一態様による基地局装置は、ＥＮ−ＤＣ（EUTRA NR Dual Connectivity）設定およびＤＣＩ（Downlink Control Information）フォーマットを送信する送信部と、を備え、前記ＥＮ−ＤＣ設定に、ＥＵＴＲＡセルに対するシングル送信に関するパラメータをセットする場合、且つ、プライマリセルのデュプレックスモードがＦＤＤ（Frequency Di
vision Duplex）である場合、前記ＤＣＩフォーマットをＣ−ＲＮＴＩ（Cell Radio Network Temporary Identifier）によって与えられたＵＳＳ（UE specific Search Space）にマップするとすれば、前記ＤＣＩフォーマットに含まれるＨＰＮ（HARQ process number
）フィールドのビット数を４ビットにセットし、前記ＤＣＩフォーマットをＣＳＳ（Common Search Space）にマップするとすれば、前記ＤＣＩフォーマットに含まれるＨＰＮフ
ィールドのビット数を３ビットにセットする。
【０００９】
（２）、本発明の一態様による端末装置は、ＥＮ−ＤＣ（EUTRA NR Dual Connectivity）設定およびＤＣＩ（Downlink Control Information）フォーマットを受信する受信部と、を備え、ＥＮ−ＤＣ設定において、ＥＵＴＲＡセルに対するシングル送信に関するパラメータが設定されている場合、且つ、プライマリセルのデュプレックスモードがＦＤＤ（Frequency Division Duplex）である場合、前記ＤＣＩフォーマットがＣ−ＲＮＴＩ（Cell Radio Network Temporary Identifier）によって与えられたＵＳＳ（UE specific Search Space）にマップされているとすれば、前記ＤＣＩフォーマットに含まれるＨＰＮ（HARQ process number）フィールドのビット数が４ビットにセットされるものとしてデコー
ディングを行ない、前記ＤＣＩフォーマットがＣＳＳ（Common Search Space）にマップ
されているとすれば、前記ＤＣＩフォーマットに含まれるＨＰＮフィールドのビット数が３ビットにセットされるものとしてデコーディングを行なう。
【００１０】
（３）また、本発明の一態様による方法は、基地局装置の方法であって、ＥＮ−ＤＣ（EUTRA NR Dual Connectivity）設定およびＤＣＩ（Downlink Control Information）フォーマットを送信するステップと、前記ＥＮ−ＤＣ設定に、ＥＵＴＲＡセルに対するシングル送信に関するパラメータをセットする場合、且つ、プライマリセルのデュプレックスモードがＦＤＤ（Frequency Division Duplex）である場合、前記ＤＣＩフォーマットをＣ
−ＲＮＴＩ（Cell Radio Network Temporary Identifier）によって与えられたＵＳＳ（UE specific Search Space）にマップするとすれば、前記ＤＣＩフォーマットに含まれる
ＨＰＮ（HARQ process number）フィールドのビット数を４ビットにセットするステップ
と、前記ＤＣＩフォーマットをＣＳＳ（Common Search Space）にマップするとすれば、
前記ＤＣＩフォーマットに含まれるＨＰＮフィールドのビット数を３ビットにセットするステップと、を含む。
【００１１】
（４）また、本発明の一態様による方法は、端末装置の方法であって、ＥＮ−ＤＣ（EUTRA NR Dual Connectivity）設定およびＤＣＩ（Downlink Control Information）フォーマットを受信するステップと、前記ＥＮ−ＤＣ設定において、ＥＵＴＲＡセルに対するシングル送信に関するパラメータが設定されている場合、且つ、プライマリセルのデュプレックスモードがＦＤＤ（Frequency Division Duplex）である場合、前記ＤＣＩフォーマ
ットがＣ−ＲＮＴＩ（Cell Radio Network Temporary Identifier）によって与えられた
ＵＳＳ（UE specific Search Space）にマップされているとすれば、前記ＤＣＩフォーマットに含まれるＨＰＮ（HARQ process number）フィールドのビット数が４ビットにセッ
トされるものとしてデコーディングを行なうステップと、前記ＤＣＩフォーマットがＣＳＳ（Common Search Space）にマップされているとすれば、前記ＤＣＩフォーマットに含
まれるＨＰＮフィールドのビット数が３ビットにセットされるものとしてデコーディングを行なうステップと、を含む。
【発明の効果】
【００１２】
この発明によれば、基地局装置と端末装置が通信する無線通信システムにおいて、伝送効率を向上させることができる。
【図面の簡単な説明】
【００１３】
【図１】第１の実施形態に係るＵＬ／ＤＬ設定の一例を示す図である。
【図２】第１の実施形態に係るＵＬ参照ＵＬ／ＤＬ設定の一例を示す図である。
【図３】第１の実施形態に係るＤＬ参照ＵＬ／ＤＬ設定の一例を示す図である。
【図４】第１の実施形態に係る上位層パラメータｔｄｍ−ＰａｔｔｅｒｎＳｉｎｇｌｅ−Ｔｘ−ｒ１５に基づくＵＬ／ＤＬ設定の一例を示す図である。
【図５】第１の実施形態に係る下りリンクの無線フレーム構成の一例を示す図である。
【図６】第１の実施形態に係る上りリンクの無線フレーム構成の一例を示す図である。
【図７】第１の実施形態に係る基地局装置のブロック構成の一例を示す図である。
【図８】第１の実施形態に係る端末装置のブロック構成の一例を示す図である。
【発明を実施するための形態】
【００１４】
＜第１の実施形態＞
本発明の第１の実施形態について以下に説明する。基地局装置（基地局、ノードＢ、ｅＮＢ（EUTRAN NodeB、evolved NodeB）、ｇＮＢ、ｅｎ−ｇＮＢ）と端末装置（端末、移
動局、ユーザ装置、ＵＥ（User equipment））とが、セルにおいて通信する通信システムを用いて説明する。なお、本実施形態に係る端末装置は、ＥＵＴＲＡの基地局装置が構成するサービングセル（ＥＵＴＲＡセル、ＬＴＥセル）に接続して通信する機能とＮＲの基地局装置が構成するサービングセル（ＮＲセル）に接続して通信する機能を有してもよい。
【００１５】
本実施形態で使用される主な物理チャネルおよび物理信号、フレーム構造について説明する。チャネルとは信号の送信に用いられる媒体を意味し、物理チャネルとは信号の送信に用いられる物理的な媒体を意味する。本実施形態において、物理チャネルは、物理信号と同義的に使用されてもよい。物理チャネルは、ＬＴＥにおいて、今後追加、または、その構造および／または構成やフォーマットが変更および／または追加される可能性があるが、変更および／または追加された場合でも本実施形態の説明には影響しない。
【００１６】
本実施形態に係るフレーム構造タイプ（ＦＳ）について説明する。
【００１７】
フレーム構造タイプ１（ＦＳ１）は、ＦＤＤ（Frequency Division Duplex）に対して
適用される。つまり、ＦＳ１は、ＦＤＤがサポートされたセルオペレーションに対して適用される。ＦＳ１は、ＦＤ−ＦＤＤ（Full Duplex-FDD）とＨＤ−ＦＤＤ（Half Duplex-FDD）の両方に適用できる。
【００１８】
ＦＤＤにおいて、下りリンク送信と上りリンク送信は周波数領域で分けられている。言い換えると、下りリンク送信と上りリンク送信でそれぞれ、オペレーシングバンドが規定される。つまり、下りリンク送信と上りリンク送信で異なるキャリア周波数が適用される。そのため、ＦＤＤでは、下りリンク送信および上りリンク送信のそれぞれに対して、１０サブフレームが利用可能である。ＨＤ−ＦＤＤオペレーションにおいて、端末装置は、同時に送信および受信を行なうことができないが、ＦＤ−ＦＤＤオペレーションにおいて、端末装置は、同時に送信および受信を行なうことができる。
【００１９】
ＨＤ−ＦＤＤオペレーションにおいて、端末装置は、同時に送信および受信を行なうことができないが、ＦＤ−ＦＤＤオペレーションにおいて、端末装置は、同時に送信および受信を行なうことができる。
【００２０】
さらに、ＨＤ−ＦＤＤには２つのタイプがある。タイプＡ・ＨＤ−ＦＤＤオペレーションに対しては、ガードピリオドは、同じ端末装置からの上りリンクサブフレームの直前の下りリンクサブフレームの最後尾部分（最後尾のシンボル）を受信しないことによって端
末装置によって生成される。タイプＢ・ＨＤ−ＦＤＤオペレーションに対しては、ＨＤガードサブフレームとして参照された、ガードピリオドは、同じ端末装置からの上りリンクサブフレームの直前の下りリンクサブフレームを受信しないことによって、および、同じ端末装置からの上りリンクサブフレームの直後の下りリンクサブフレームを受信しないことによって端末装置によって生成される。つまり、ＨＤ−ＦＤＤオペレーションにおいて、端末装置が下りリンクサブフレームの受信処理を制御することによってガードピリオドを生成している。なお、シンボルは、ＯＦＤＭシンボルまたはＳＣ−ＦＤＭＡシンボルのいずれかを含んでもよい。
【００２１】
フレーム構造タイプ２（ＦＳ２）は、ＴＤＤ（Time Division Duplex）に対して適用される。つまり、ＦＳ２は、ＴＤＤがサポートされたセルオペレーションに対して適用される。各無線フレームは、２つのハーフフレームで構成されてもよい。各ハーフフレームは、５つのサブフレームで構成される。あるセルにおけるＵＬ／ＤＬ設定は、無線フレーム間で変更されてもよい。上りリンクまたは下りリンク送信におけるサブフレームの制御は、最新の無線フレームにおいて行なわれてもよい。端末装置は、最新の無線フレームにおけるＵＬ／ＤＬ設定を、ＰＤＣＣＨまたは上位層シグナリングを介して取得することができる。なお、ＵＬ／ＤＬ設定は、ＴＤＤにおける、上りリンクサブフレーム、下りリンクサブフレーム、スペシャルサブフレームの構成を示してもよい。スペシャルサブフレームは、下りリンク送信が可能なＤｗＰＴＳ（Downlink Pilot Time Slot）、ガードピリオド（ＧＰ）、上りリンク送信が可能なＵｐＰＴＳ（Uplink Pilot Time Slot）から構成されてもよい。ＧＰは、下りリンクから上りリンクへ遷移するために予約（確保）された時間領域であってもよい。スペシャルサブフレームにおけるＤｗＰＴＳとＵｐＰＴＳの構成はテーブルで管理されており、端末装置は、上位層シグナリングを介して、該スペシャルサブフレームの構成を取得することができる。なお、スペシャルサブフレームが下りリンクから上りリンクへのスイッチングポイントとなる。つまり、端末装置は、スイッチングポイントを境に、受信から送信へと遷移し、基地局装置は、送信から受信へと遷移する。スイッチングポイントは、５ｍｓ周期と１０ｍｓ周期とがある。スイッチングポイントが５ｍｓ周期の場合、スペシャルサブフレームは両方のハーフフレームに存在する。スイッチングポイントが１０ｍｓ周期の場合、スペシャルサブフレームは、第１のハーフフレームにのみ存在する。なお、ＵＬ／ＤＬ設定は、ＴＤＤ設定やサブフレームアサインメントと称されてもよい。
【００２２】
図１は、本実施形態に係るＵＬ／ＤＬ設定の一例を示す図である。ＵＬ／ＤＬ設定は、連続する１０サブフレームに対する、下りリンクサブフレーム、スペシャルサブフレーム、上りリンクサブフレームの構成を示すために用いられる。ＵＬ／ＤＬ設定は、インデックスに対応して、いくつかのパターンを切り替える（再設定する）ことができる。
【００２３】
なお、ＦＤＤおよびＴＤＤは、デュプレックスまたはデュプレックスモードと称されてもよい。デュプレックスモードは、オペレーティングバンドおよび／またはキャリア周波数と対応付けられてもよい。
【００２４】
ＵｐＰＴＳに対して２シンボルが割り当てられる場合、ＳＲＳおよびＰＲＡＣＨプリアンブルフォーマット４が該ＵｐＰＴＳにおいて配置されるように設定されてもよい。
【００２５】
また、ＴＤＤでは、各セルの通信量（トラフィック量）や干渉を考慮した、ｅＩＭＴＡ（TDD enhanced Interference Management and Traffic Adaptation）技術が適用可能で
ある。ｅＩＴＭＡは、下りリンクおよび／または上りリンクの通信量や干渉量を考慮して、ダイナミックに（Ｌ１レベル、または、Ｌ１シグナリングを用いて）ＴＤＤの設定を切り替えることによって、無線フレーム内（つまり、１０サブフレーム内）に占める、下りリンクサブフレームと上りリンクサブフレームの割合を変え、最適な通信を行なう技術で
ある。
【００２６】
ＦＳ１とＦＳ２は、ＮＣＰとＥＣＰが適用される。
【００２７】
フレーム構造タイプ３（ＦＳ３）は、ＬＡＡ（Licensed Assisted Access）セカンダリセルオペレーションに対して適用される。つまり、ＦＳ３は、ＬＡＡセルに対して適用される。また、ＦＳ３は、ＮＣＰのみが適用されてもよい。無線フレームに含まれる１０サブフレームは、下りリンク送信に利用される。端末装置は、規定されない限り、または、下りリンク送信がそのサブフレームで検出されない限り、いずれかの信号があるサブフレームに存在すると仮定せず、空のサブフレームとして、そのサブフレームを処理する。下りリンク送信は１つまたは複数の連続するサブフレームを専有する。連続するサブフレームは、最初のサブフレームと最後のサブフレームを含む。最初のサブフレームは、そのサブフレームのいずれかのシンボルまたはスロット（例えば、ＯＦＤＭシンボル＃０または＃７）から始まる。また、最後のサブフレームは、フルサブフレーム（つまり、１４ＯＦＤＭシンボル）か、ＤｗＰＴＳ期間の１つに基づいて示されたＯＦＤＭシンボルの数だけ専有される。なお、連続するサブフレームのうち、あるサブフレームが最後のサブフレームであるかどうかは、ＤＣＩフォーマットに含まれるあるフィールドによって、端末装置に示される。そのフィールドは、さらに、そのフィールドを検出したサブフレームまたその次のサブフレームに用いられるＯＦＤＭシンボルの数が示されてもよい。また、ＦＳ３では、基地局装置は、下りリンク送信を行なう前に、ＬＢＴに関連するチャネルアクセスプロシージャを行なう。
【００２８】
なお、ＦＳ３において、下りリンク送信のみをサポートしているが、上りリンク送信もサポートしてもよい。ＦＳ３において、つまり、ＬＡＡセルにおいて、上りリンク送信を行なうかどうかは、端末装置がサポートしている能力および基地局装置がサポートしている能力に応じて決定されてもよい。
【００２９】
ＦＳ３をサポートしている端末装置および基地局装置は、免許不要の周波数帯で通信を行なってもよい。
【００３０】
ＬＡＡまたはＦＳ３のセルに対応するオペレーティングバンドは、ＥＵＴＲＡオペレーティングバンドのテーブルとともに管理されてもよい。例えば、ＥＵＴＲＡオペレーティングバンドのインデックスは、１〜４４で管理され、ＬＡＡ（またはＬＡＡの周波数）に対応するオペレーティングバンドのインデックスは、４６で管理されてもよい。例えば、インデックス４６では、下りリンクの周波数帯のみが規定されてもよい。また、一部のインデックスにおいては、上りリンクの周波数帯が予約または将来規定されるものとして予め確保されてもよい。また、対応するデュプレックスモードは、ＦＤＤやＴＤＤとは異なるデュプレックスモードであってもよいし、ＦＤＤやＴＤＤであってもよい。ＬＡＡオペレーションが可能な周波数は、５ＧＨｚ以上であることが好ましいが、５ＧＨｚ以下であってもよい。つまり、ＬＡＡに対応するオペレーティングバンドとして、対応付けられた周波数において、ＬＡＡオペレーションの通信が行なわれてもよい。
【００３１】
次に、本実施形態に係るＣＡ（Carrier Aggregation）について説明する。
【００３２】
ＣＡは、広帯域幅（例えば、６４０ＭＨｚまで）の通信をサポートするために、２つまたは２つよりも多いＣＣ（Component Carrier）を集約して通信を行なう技術のことであ
る。ＣＣは、単にキャリアと称されてもよい。なお、ＣＣは、セルに対応してもよい。また、１つのセルは、１つまたは複数のＣＣを含んでもよい。また、端末装置は、該端末装置の能力に応じて１つまたは複数のＣＣで同時に受信または送信を行なうことができる。基地局装置によって、ＣＡに関するパラメータが設定された場合には、端末装置は、ＣＡ
に基づく通信を行なうことができる。ＣＡは同じおよび／または異なるデュプレックスのＣＣ間でサポートされてもよい。つまり、端末装置の能力に応じて、同じデュプレックスモードの複数のＣＣを用いたＣＡおよび異なるデュプレックスモードの複数のＣＣを用いたＣＡがサポートされてもよい。ここで、ＦＤＤコンポーネントキャリアだけを用いるＣＡをＦＤＤ  ＣＡと称してもよい。また、ＦＤＤコンポーネントキャリアだけを用いるＣＡをＴＤＤ  ＣＡと称してもよい。また、異なるデュプレックスモードであるＦＤＤコンポーネントキャリア（ＦＤＤセル）とＴＤＤコンポーネントキャリア（ＴＤＤセル）を用いたＣＡをＦＤＤ−ＴＤＤ  ＣＡと称してもよい。端末装置は、ＣＡを行なう能力をサポートしていることを示す情報の他に、ＦＤＤ−ＴＤＤ  ＣＡを行なう能力をサポートしていることを示す情報を該端末装置の能力情報に含んで、基地局装置に通知することができる。
【００３３】
基地局装置は、ＵＬとＤＬで異なる帯域幅の異なる数のＣＣを集約するように設定してもよい。
【００３４】
同じ基地局装置に対する複数のＣＣは同じカバレッジでなくてもよい。つまり、同じ基地局装置によって設定されたＣＣは、同じカバレッジを満たすように電力制御に関連するパラメータおよび設定がセットされてもよいし、異なるカバレッジを満たすように電力制御に関連するパラメータおよび設定がセットされてもよい。
【００３５】
１つのセル（例えば、ＰＣｅｌｌ）のＰＤＣＣＨを用いて、他のセル（例えば、ＳＣｅｌｌ）のＰＵＳＣＨおよび／またはＰＤＳＣＨのスケジューリングを行なうことができる。このようなスケジューリングをクロスキャリアスケジューリングと称する。
【００３６】
ＴＤＤ  ＣＡに対して、ＵＬ／ＤＬ設定は、同じバンド（同じオペレーティングバンド）における複数のＣＣ間では同じ（つまり、同じＵＬ／ＤＬ設定）であり、異なるバンド（異なるオペレーティングバンド）における複数のＣＣにおいて同じまたは異なってもよい。つまり、複数のＣＣが同じオペレーティングバンド内に設定される場合には、該複数のＣＣ間で同じＵＬ／ＤＬ設定が設定され、複数のＣＣがそれぞれ、異なるオペレーティングバンドに設定される場合には、ＣＣ毎にＵＬ／ＤＬ設定が設定されてもよい。
【００３７】
ＣＡでは、プライマリセル（ＰＣｅｌｌ）とセカンダリセル（ＳＣｅｌｌ）がある。ＰＣｅｌｌは、ＰＵＣＣＨの送信および／または割り当て可能なセルのことであってもよいし、初期アクセスプロシージャ／ＲＲＣ接続プロシージャ／初期接続確立プロシージャに関連するセルであってもよいし、Ｌ１シグナリングでのランダムアクセスプロシージャに関するトリガをかけることのできるセルであってもよいし、無線リンクをモニタリングするセルであってもよいし、ＳＰＳ（Semi-Persistent Scheduling）がサポートされるセルであってもよいし、ＲＬＦ（Radio Link Failure）を検出および／または判定に用いられるセルであってもよいし、常にアクティベーションであるセル（つまり、デアクティベーションにならないセル）のことであってもよいし、ＳＣｅｌｌを追加／変更／削除／アクティベーション・デアクティベーションできるセルのことであってもよい。ＳＣｅｌｌは、ＰＣｅｌｌによって追加／変更／削除／アクティベーション・デアクティベーションされるセルのことであってもよい。
【００３８】
複数のＬＴＥセル間で、各セルに対応するＵＬ／ＤＬ設定（ＴＤＤ設定）が同じでない場合、参照ＵＬ／ＤＬ設定に基づいて、端末装置は、ＰＵＳＣＨ送信やＨＡＲＱ−ＡＣＫ送信を行なってもよい。上りリンクグラント検出からＰＵＳＣＨ送信に対するＵＬ／ＤＬ設定をＵＬ参照ＵＬ／ＤＬ設定と称し、ＰＤＣＣＨ／ＰＤＳＣＨ検出から対応するＨＡＲＱ−ＡＣＫ送信に用いられるＵＬ／ＤＬ設定をＤＬ参照ＵＬ／ＤＬ設定と称してもよい。
【００３９】
図２は、ＵＬ参照ＵＬ／ＤＬ設定の一例を示す図である。図２は、サービングセルのＵＬ／ＤＬ設定と該サービングセルをスケジューリングする他のサービングセルのＵＬ／ＤＬ設定に対する組み合わせに基づくＵＬ参照ＵＬ／ＤＬ設定の一例を示している。図２によって得られるＵＬ参照ＵＬ／ＤＬ設定は、上りリンクグラントを検出してから、該上りリンクグラントによってスケジュールされるＰＵＳＣＨの送信に用いられる上りリンクサブフレームの一例を示している。
【００４０】
図３は、ＤＬ参照ＵＬ／ＤＬ設定の一例を示す図である。図２は、プライマリセルのＵＬ／ＤＬ設定とセカンダリセルのＵＬ／ＤＬ設定の組み合わせに基づいて、ＨＡＲＱ−ＡＣＫ送信に関連するＤＬ参照ＵＬ／ＤＬ設定の一例を示している。図３によって得られるＤＬ参照ＵＬ／ＤＬ設定は、ＰＤＳＣＨを受信してから該ＰＤＳＣＨに対応するＨＡＲＱ−ＡＣＫを送信する上りリンクサブフレームの一例を示している。
【００４１】
ＦＤＤ−ＴＤＤ  ＣＡにおいて、プライマリセルのデュプレックスモードがＴＤＤである場合、つまり、プライマリセルＦＳ２（ＴＤＤプライマリセル）である場合、且つ、第１のセカンダリセルのデュプレックスモードがＴＤＤであり、第２のセカンダリセルのデュプレックスモードがＦＤＤである場合、ＦＤＤセカンダリセル（第２のセカンダリセル、セカンダリセルＦＳ１）に対して設定されるＤＬ  ＨＡＲＱタイミングがＴＤＤセカンダリセル（第１のセカンダリセル、セカンダリセルＦＳ２）に対しても適用されることを示す上位層パラメータ（harqTimingTDD-r13）に基づいて、ＴＤＤセカンダリセルのＤＬ
ＨＡＲＱタイミングが決定されてもよい。例えば、ＤＬ  ＨＡＲＱタイミングは、ＤＬ参照ＵＬ／ＤＬ設定に基づいて決定されてもよい。ＴＤＤプライマリセルとＴＤＤセカンダリセルでＵＬ／ＤＬ設定が異なるとすれば、図３のテーブルに基づいて、適切なＤＬ参照ＵＬ／ＤＬ設定が適用されるが、ｈａｒｑＴｉｍｉｎｇＴＤＤ−ｒ１３が‘ＴＲＵＥ’にセットされている場合には、ＴＤＤセカンダリセルに対するＤＬ参照ＵＬ／ＤＬ設定は、ＦＤＤセカンダリセルに対して適用されるＤＬ参照ＵＬ／ＤＬ設定と同じであってもよい。‘ＴＲＵＥ’にセットされたｈａｒｑＴｉｍｉｎｇＴＤＤ−ｒ１３が設定されていないとすれば、ＴＤＤセカンダリセルに対するＤＬ参照ＵＬ／ＤＬ設定は、図３のテーブルに基づいて決定されてもよい。
【００４２】
次に、本実施形態に係るＤＣ（Dual Connectivity）について説明する。
【００４３】
ＤＣにおいて、端末装置に対して、２つのＣＧ（Cell Group）が構成される。ＭＣＧ（Master CG）は、ＭｅＮＢ（Master eNB）またはＭＮ（Master Node）の１つまたは複数のサービングセルを含む。ＳＣＧ（Secondary CG）は、ＳｅＮＢ（Secondary eNB）または
ＳＮ（Secondary Node）の１つまたは複数のサービングセルを含む。なお、ＤＣは、端末装置がＥＵＴＲＡ基地局装置だけと接続する場合には、イントラＥＵＴＲＡ−ＤＣまたはＥＵＴＲＡ−ＥＵＴＲＡ  ＤＣまたはイントラＬＴＥ  ＤＣまたはＬＴＥ−ＬＴＥ  ＤＣと称されてもよい。ＤＣは、端末装置がＮＲ基地局装置だけと接続する場合には、イントラＮＲ−ＤＣまたはＮＲ−ＮＲ  ＤＣと称されてもよい。
【００４４】
ＭＣＧは、ＭＮに関連したサービングセルのグループであり、１つのスペシャルセル（ＰＣｅｌｌ）と任意で１つまたは複数のＳＣｅｌｌで構成される。
【００４５】
ＳＣＧは、ＳＮに関連したサービングセルのグループであり、１つのスペシャルセル（ＰＳＣｅｌｌ）と任意で１つまたは複数のＳＣｅｌｌで構成される。
【００４６】
ＭｅＮＢまたはＭＮは、ＳｅＮＢ／ＳＮのＲＲＣ再設定（ＲＲＣ接続再設定）メッセージを含むＭｅＮＢ／ＭＮのＲＲＣ再設定（ＲＲＣ接続再設定）メッセージを端末装置に送信することができる。
【００４７】
各ＣＧにおいて、複数のサービングセルが設定される場合、ＣＧ内でＣＡが行なわれてもよい。
【００４８】
ＳＣＧに対して、ＰＣｅｌｌに相当するプライマリセカンダリセル（ＰＳＣｅｌｌ）が設定される。例えば、ＰＳＣｅｌｌにはＰＵＣＣＨリソースが設定されてもよい。また、ＰＳＣｅｌｌはデアクティベーションにならない。また、ＰＳＣｅｌｌは、ＳＣＧ変更の時にだけ変更することができる。
【００４９】
ＳＣＧが設定される時、少なくとも１つのＳＣＧベアラまたはスプリットベアラが常にある。
【００５０】
ＰＳＣｅｌｌにおいて、ＰＬＰ（Physical Layer Problem）またはＲＡＰ（Random Access Problem）が検出される場合、または、ＳＣＧに関連したＲＬＣ再送信の最大数に達
する場合、または、ＳＣＧ変更を行なっている間のＰＳＣｅｌｌにおけるアクセス問題の検出（タイマーＴ３０７の満了）した場合、または、ＣＧ間の最大送信タイミング差を超える場合、以下の（Ａ１）から（Ａ４）が適用される。
（Ａ１）ＲＲＣ接続再確立プロシージャがトリガされない
（Ａ２）ＳＣＧのすべてのセル向けたすべての上りリンク送信がストップされる
（Ａ３）ＭｅＮＢがＵＥにＳＣＧ失敗タイプを通知する
（Ａ４）スプリットベアラに対して、ＭｅＮＢのＤＬデータ転送は維持される
【００５１】
次に、本実施形態に係るＥＮ−ＤＣ（EUTRA NR Dual Connectivity）について説明する。
【００５２】
ＥＮ−ＤＣは、ＥＵＴＲＡの基地局装置（eNB、ng-eNB）によって構成される１つまた
は複数のセルを含むＣＧとＮＲの基地局装置（gNB、en-gNB）によって構成される１つま
たは複数のセルを含むＣＧを用いてＤＣを行なう技術のことである。その際、ＥＵＴＲＡの基地局装置によって構成されるＣＧが、ＭＣＧとなり、ＮＲの基地局装置によって構成されるＣＧが、ＳＣＧとなる。
【００５３】
ＥＮ−ＤＣは、ＭＲ−ＤＣ（Multi-RAT DC）と称されてもよい。
【００５４】
ＥＵＴＲＡＮ（Evolved Universal Terrestrial Radio Access Network）は、ＭＮとして動作する１つのＥＵＴＲＡ基地局装置（eNB）とＳＮとして動作する１つのＮＲ基地局
装置（en-gNB）と接続されるＭＲ−ＤＣをサポートする。
【００５５】
ＮＲ基地局装置（en-gNB）は、ＥＮ−ＤＣにおいて、ＳＮとして動作し、端末装置に向けてＮＲユーザプレーンおよびコントロールプレーンターミネーションを提供するノードである。
【００５６】
ＥＮ−ＤＣが設定された端末装置は、ＲＲＣ接続再設定メッセージを用いて、イントラＥＵＴＲＡ−ＤＣやイントラＮＲ−ＤＣに再設定されることを期待しなくてもよい。つまり、端末装置は、ＥＮ−ＤＣからイントラＥＵＴＲＡ−ＤＣやイントラＮＲ−ＤＣに直接遷移することを期待しなくてもよい。その逆の場合も端末装置は期待しなくてもよい。なお、ＮＲ−ＳＣＧがリリースされた場合には、ＲＲＣ接続再設定メッセージを用いて、イントラＥＵＴＲＡ−ＤＣやイントラＮＲ−ＤＣに再設定されてもよい。
【００５７】
次に、本実施形態に係るＥＮ−ＤＣのシングル送信について説明する。
【００５８】
ＥＮ−ＤＣのシングル送信は、ＥＵＴＲＡセル（ＬＴＥセル）に対する上りリンク送信とＮＲセルに対する上りリンク送信が衝突しないように、ＥＵＴＲＡセルに対する上りリンク送信のための上りリンクサブフレームを、上位層パラメータを用いて指定（限定）することによって、ＥＵＴＲＡセルとＮＲセルの同時送信が生じないようにする。異なるＲＡＴの同時送信による干渉や電力制御の負担を低減する。
【００５９】
ＬＴＥセルのシングル送信を実現するために、上位層パラメータｔｄｍ−Ｐａｔｔｅｒｎ−Ｓｉｎｇｌｅ−Ｔｘ−ｒ１５が設定されてもよい。上位層パラメータｔｄｍ−Ｐａｔｔｅｒｎ−Ｓｉｎｇｌｅ−Ｔｘ−ｒ１５は、ＲＲＣ接続再設定メッセージのＥＮ−ＤＣ設定に含まれてもよい。上位層パラメータｔｄｍ−Ｐａｔｔｅｒｎ−Ｓｉｎｇｌｅ−Ｔｘ−ｒ１５は、ＬＴＥセルにおける上りリンクサブフレームを設定（規定）するためのパラメータ（subframeAssignment-r15）、および、該上りリンクサブフレームに対してＨＡＲＱ送信のためのサブフレームオフセットを設定するためのパラメータ（harq-Offset-r15）
の一方または両方を少なくとも含んでもよい。なお、ｈａｒｑ−Ｏｆｆｓｅｔ−ｒ１５が含まれない場合には、ＨＡＲＱ−ＡＣＫ送信のためのサブフレームオフセットは０とみなしてもよい。なお、ｓｕｂｆｒａｍｅＡｓｓｉｇｎｍｅｎｔ−ｒ１５が示す値は、ＵＬ／ＤＬ設定のインデックスに対応してもよい。つまり、ｓｕｂｆｒａｍｅＡｓｓｉｇｎｍｅｎｔ−ｒ１５は、対応するＵＬ／ＤＬ設定の上りリンクサブフレームを示すために用いられてもよい。なお、該上りリンクサブフレームにおいて、ＬＴＥセルの上りリンク送信が行なわれてもよい。ｈａｒｑ−Ｏｆｆｓｅｔ−ｒ１５は、該上りリンクサブフレームに適用されるサブフレームオフセットを示す。該サブフレームオフセットは、端末装置がＨＡＲＱを送信する場合にだけ適用されてもよい。つまり、ＨＡＲＱ−ＡＣＫを含まない上りリンクデータをＰＵＳＣＨで送信する場合には、ｈａｒｑ−Ｏｆｆｓｅｔ−ｒ１５によって示されるサブフレームオフセットはｓｕｂｆｒａｍｅＡｓｓｉｇｎｍｅｎｔ−ｒ１５で示されたＵＬ／ＤＬ設定の上りリンクサブフレームに対して適用されなくてもよい。例えば、ＨＡＲＱ−ＡＣＫを含まない上りリンクデータをＰＵＳＣＨで送信する場合には、該ｓｕｂｆｒａｍｅＡｓｓｉｇｎｍｅｎｔ−ｒ１５で示された上りリンクサブフレームで送信されてもよい。また、ＣＳＩのみを含む上りリンクデータをＰＵＳＣＨで送信する場合には、該ｓｕｂｆｒａｍｅＡｓｓｉｇｎｍｅｎｔ−ｒ１５で示された上りリンクサブフレームで送信されてもよい。このような場合には、端末装置は、ｈａｒｑ−Ｏｆｆｓｅｔ−ｒ１５が０にセットされていると想定してもよい。また、ＨＡＲＱ−ＡＣＫを含まない上りリンクデータをＰＵＳＣＨで送信する場合に、ｈａｒｑ−Ｏｆｆｓｅｔ−ｒ１５によって示されたサブフレームオフセットを適用するかどうかは、ｈａｒｑ−Ｏｆｆｓｅｔ−ｒ１５が上りリンクデータだけのＰＵＳＣＨ送信に対して有効かどうかを示す上位層パラメータによって設定されてもよい。
【００６０】
図４は、本実施形態に係る上位層パラメータｔｄｍ−ＰａｔｔｅｒｎＳｉｎｇｌｅ−Ｔｘ−ｒ１５が設定された場合の上りリンクサブフレームの構成の一例を示す図である。図４では、ｓｕｂｆｒａｍｅＡｓｓｉｇｎｍｅｎｔ−ｒ１５が、ＵＬ／ＤＬ設定２を示し、ｈａｒｑ−Ｏｆｆｓｅｔ−ｒ１５が、０、３、８の例を示している。ＦＤＤセルにおいては、Ｄ（下りリンクサブフレーム）として示されたサブフレームにおいて、端末装置は上りリンク送信を行なうことを期待しない。ただし、ＦＤＤセルにおいて、全ての下りリンクサブフレームで、端末装置は、ＰＤＣＣＨやＰＤＳＣＨの受信を行なうことができる。
【００６１】
ＥＵＴＲＡのＣＧにおいて、ＴＤＤ  ＣＡが適用されている場合、つまり、ＥＵＴＲＡのＣＧ内にＴＤＤセルしかない場合には、端末装置は、ｈａｒｑ−Ｏｆｆｓｅｔ−ｒ１５およびｓｕｂｆｒａｍｅＡｓｓｉｇｎｍｅｎｔ−ｒ１５（つまり、ｔｄｍ−ＰａｔｔｅｒｎＳｉｎｇｌｅ−Ｔｘ−ｒ１５に含まれる２つのパラメータ）で示されたＵＬ／ＤＬ設定とＴＤＤセルのＵＬ／ＤＬ設定に基づいて該ＴＤＤセルに対するＤＬ参照ＵＬ／ＤＬ設定を決定してもよい。
【００６２】
また、ＥＵＴＲＡのＣＧにおいて、ＴＤＤ  ＣＡが適用されている場合、つまり、ＥＵＴＲＡのＣＧ内にＴＤＤセルしかない場合には、端末装置は、ｈａｒｑ−Ｏｆｆｓｅｔ−ｒ１５が０にセットされていると想定して、ｓｕｂｆｒａｍｅＡｓｓｉｇｎｍｅｎｔ−ｒ１５で示されたＵＬ／ＤＬ設定と該ＴＤＤセルのＵＬ／ＤＬ設定に基づいてＴＤＤセルに対応するＤＬ参照ＵＬ／ＤＬ設定を決定してもよい。例えば、ＤＬ参照ＵＬ／ＤＬ設定は、図３を再利用して決定されてもよい。例えば、図３のプライマリセルＵＬ／ＤＬ設定をｓｕｂｆｒａｍｅＡｓｓｉｇｎｍｅｎｔ−ｒ１５で示されたＵＬ／ＤＬ設定とし、該ＴＤＤセルのＵＬ／ＤＬ設定をセカンダリセルＵＬ／ＤＬ設定として適用し、端末装置は、ＤＬ参照ＵＬ／ＤＬ設定を決定してもよい。また、基地局装置は、端末装置のＥＵＴＲＡ  ＣＧ内でＴＤＤ  ＣＡを行なう場合には、ｈａｒｑ−Ｏｆｆｓｅｔ−ｒ１５を０にセットしてもよい。
【００６３】
ＥＵＴＲＡのＣＧにおいて、ＦＤＤ  ＣＡが適用されている場合、つまり、ＥＵＴＲＡのＣＧ内にＦＤＤセルしかない場合には、端末装置は、ｈａｒｑ−Ｏｆｆｓｅｔ−ｒ１５およびｓｕｂｆｒａｍｅＡｓｓｉｇｎｍｅｎｔ−ｒ１５（つまり、ｔｄｍ−ＰａｔｔｅｒｎＳｉｎｇｌｅ−Ｔｘ−ｒ１５に含まれる２つのパラメータ）で示されたＵＬ／ＤＬ設定をＤＬ参照ＵＬ／ＤＬ設定として決定してもよい。その際、端末装置および基地局装置は、スペシャルサブフレームに相当するサブフレームを上りリンクサブフレームとしてみなしてもよい。また、端末装置および基地局装置は、スペシャルサブフレームに相当するサブフレームで上りリンク送信を行なうことができることを期待しなくてもよい。ｔｄｍ−ＰａｔｔｅｒｎＳｉｎｇｌｅ−Ｔｘ−ｒ１５に基づくＵＬ／ＤＬ設定が適用されたＦＤＤセルにおいて、スペシャルサブフレームに相当するサブフレームにおいて、上りリンク送信を行なうことができるかどうかは、上位層パラメータによって示されてもよい。
【００６４】
ＥＵＴＲＡのＣＧにおいて、ＦＤＤ−ＴＤＤ  ＣＡが適用されている場合には、端末装置は、ｈａｒｑ−Ｏｆｆｓｅｔ−ｒ１５が０にセットされていると想定して、ｓｕｂｆｒａｍｅＡｓｓｉｇｎｍｅｎｔ−ｒ１５で示されたＵＬ／ＤＬ設定が設定されたＦＤＤセルとＴＤＤセルに対するＤＬ参照ＵＬ／ＤＬ設定を決定してもよい。また、基地局装置は、端末装置のＥＵＴＲＡ  ＣＧ内でＦＤＤ−ＴＤＤ  ＣＡを行なう場合には、ｈａｒｑ−Ｏｆｆｓｅｔ−ｒ１５を０にセットしてもよい。
【００６５】
ＥＵＴＲＡのＣＧにおいて、少なくとも１つのＴＤＤセルを含むとすれば、基地局装置は、ｈａｒｑ−Ｏｆｆｓｅｔ−ｒ１５の値を０にセットしてもよいし、または、ｔｄｍ−ＰａｔｔｅｒｎＳｉｎｇｌｅ−Ｔｘ−ｒ１５にｈａｒｑ−Ｏｆｆｓｅｔ−ｒ１５を含まなくてもよい。
【００６６】
２つのＵＬ／ＤＬ設定に基づく参照ＵＬ／ＤＬ設定の組み合わせを維持するために（つまり、組み合わせの数を増やさないために）、ＥＵＴＲＡ  ＣＧにＴＤＤセルが含まれる場合には、ｈａｒｑ−Ｏｆｆｓｅｔ−ｒ１５は０にセットされてもよい。例えば、図３によって示されるテーブルを拡張する必要がなくなる。
【００６７】
ＥＵＴＲＡのＣＧにおいて、ＦＤＤ−ＴＤＤ  ＣＡが適用されている場合、且つ、上位層パラメータｔｄｍ−ＰａｔｔｅｒｎＳｉｎｇｌｅ−Ｔｘ−ｒ１５が設定されている場合、且つ、ｈａｒｑＴｉｍｉｎｇＴＤＤ−ｒ１３またはｈａｒｑＴｉｍｉｎｇＴＤＤ−ｒ１５が‘ＴＲＵＥ’にセットされている場合、ＴＤＤセカンダリセルに対するＤＬ参照ＵＬ／ＤＬ設定は、ＦＤＤプライマリセルに適用されるＤＬ参照ＵＬ／ＤＬ設定と同じＵＬ／ＤＬ設定が適用されてもよい。
【００６８】
ＥＵＴＲＡのＣＧにおいて、ＦＤＤ−ＴＤＤ  ＣＡが適用されている場合、且つ、上位
層パラメータｔｄｍ−ＰａｔｔｅｒｎＳｉｎｇｌｅ−Ｔｘ−ｒ１５が設定されている場合、且つ、ｈａｒｑＴｉｍｉｎｇＴＤＤ−ｒ１３またはｈａｒｑＴｉｍｉｎｇＴＤＤ−ｒ１５が‘ＴＲＵＥ’にセットされていない（または、‘ＴＲＵＥ’にセットされたｈａｒｑＴｉｍｉｎｇＴＤＤ−ｒ１３またはｈａｒｑＴｉｍｉｎｇＴＤＤ−ｒ１５が設定されていない）場合、ＴＤＤセカンダリセルに対するＤＬ参照ＵＬ／ＤＬ設定は、ＦＤＤプライマリセルに適用されるＤＬ参照ＵＬ／ＤＬ設定と該ＴＤＤセカンダリセルのＵＬ／ＤＬ設定に基づいて決定されてもよい。
【００６９】
ＦＤＤセルに対しては、上位層パラメータｔｄｍ−ＰａｔｔｅｒｎＳｉｎｇｌｅ−Ｔｘ−ｒ１５に基づいて、ＤＬ参照ＵＬ／ＤＬ設定が決定され、ＴＤＤセルに対しては、‘ＴＲＵＥ’にセットされたｈａｒｑＴｉｍｉｎｇＴＤＤ−ｒ１３またはｈａｒｑＴｉｍｉｎｇＴＤＤ−ｒ１５が設定されているかどうかに基づいて、該ＤＬ参照ＵＬ／ＤＬ設定が決定されてもよい。
【００７０】
次に、本実施形態に係る下りリンクおよび上りリンクの無線フレーム構成について説明する。
【００７１】
図５は、本実施形態に係る下りリンクの無線フレーム構成の一例を示す図である。下りリンクはＯＦＤＭアクセス方式が用いられる。
【００７２】
基地局装置から端末装置への下りリンクの無線通信では、以下の下りリンク物理チャネルが用いられる。ここで、下りリンク物理チャネルは、上位層から出力された情報を送信するために用いられる。
・ＰＢＣＨ（Physical Broadcast Channel）
・ＰＣＦＩＣＨ（Physical Control Format Indicator Channel）
・ＰＨＩＣＨ（Physical Hybrid automatic repeat request Indicator Channel）
・ＰＤＣＣＨ（Physical Downlink Control Channel）
・ＥＰＤＣＣＨ（Enhanced Physical Downlink Control Channel）
・ｓＰＤＣＣＨ（short/shorter/shortened Physical Downlink Control Channel, PDCCH
for sTTI）
・ＰＤＳＣＨ（Physical Downlink Shared Channel）
・ｓＰＤＳＣＨ（short/shorter/shortened Physical Downlink Shared Channel, PDSCH for sTTI）
・ＰＭＣＨ（Physical Multicast Channel）
【００７３】
下りリンクの無線通信では、以下の下りリンク物理信号が用いられる。ここで、下りリンク物理信号は、上位層から出力された情報を送信するために使用されないが、物理層によって使用される。
・ＰＳＳ（Primary Synchronization Signal）
・ＳＳＳ（Secondary Synchronization Signal）
・下りリンク参照信号（Downlink Reference Signal: DL RS）
・ＤＳ（Discovery Signal）
【００７４】
本実施形態において、以下の５つのタイプの下りリンク参照信号が用いられる。
・ＣＲＳ（Cell-specific Reference Signal）
・ＰＤＳＣＨに関連するＵＲＳ（UE-specific Reference Signal）
・ＥＰＤＣＣＨに関連するＤＭＲＳ（Demodulation Reference Signal）
・ＮＺＰ  ＣＳＩ−ＲＳ（Non-Zero Power Chanel State Information - Reference Signal）
・ＺＰ  ＣＳＩ−ＲＳ（Zero Power Chanel State Information - Reference Signal）
・ＭＢＳＦＮ  ＲＳ（Multimedia Broadcast and Multicast Service over Single Frequency Network Reference signal）
・ＰＲＳ（Positioning Reference Signal）
【００７５】
下りリンクの無線フレームは、下りリンクのリソースブロック（ＲＢ）ペアから構成されている。この下りリンクのＲＢペアは、下りリンクの無線リソースの割り当てなどの単位であり、予め決められた幅の周波数帯（ＲＢ帯域幅）および時間帯（２個のスロット＝１個のサブフレーム）からなる。１個の下りリンクのＲＢペアは、時間領域で連続する２個の下りリンクのＲＢ（ＲＢ帯域幅×スロット）から構成される。１個の下りリンクのＲＢは、周波数領域において１２個のサブキャリアから構成される。また、時間領域においては、ＮＣＰが付加される場合には７個、ＮＣＰよりも長いＣＰ長を有するＥＣＰが付加される場合には６個のＯＦＤＭシンボルから構成される。周波数領域において１つのサブキャリア、時間領域において１つのＯＦＤＭシンボルにより規定される領域をリソースエレメント（ＲＥ）と称する。ＰＤＣＣＨ／ＥＰＤＣＣＨは、端末装置識別子（ＵＥＩＤ、ＲＮＴＩ（Radio Network Temporary Identifier））、ＰＤＳＣＨのスケジューリング情報、ＰＵＳＣＨ（Physical Uplink Shared Channel）のスケジューリング情報、変調方式、符号化率、再送パラメータなどの下りリンク制御情報（ＤＣＩ）が送信される物理チャネルである。なお、ここでは１つのＣＣ（Component Carrier）における下りリンクサブ
フレームを記載しているが、ＣＣ毎に下りリンクサブフレームが規定され、下りリンクサブフレームはＣＣ間でほぼ同期している。ここで、ＣＣ間でほぼ同期しているとは、基地局装置から複数のＣＣを用いて送信する場合、各ＣＣの送信タイミングの誤差が所定の範囲内に収まることである。
【００７６】
なお、ここでは図示していないが、下りリンクサブフレームには、ＳＳやＰＢＣＨやＤＬＲＳが配置されてもよい。ＤＬＲＳとしては、ＰＤＣＣＨと同じアンテナポート（送信ポート）で送信されるＣＲＳ、チャネル状態情報（ＣＳＩ）の測定に用いられるＣＳＩ−ＲＳ、一部のＰＤＳＣＨと同じアンテナポートで送信されるＵＥＲＳ、ＥＰＤＣＣＨと同じ送信ポートで送信されるＤＭＲＳがある。また、ＣＲＳが配置されないキャリアであってもよい。このとき一部のサブフレーム（例えば、無線フレーム中の１番目と６番目のサブフレーム）に、時間および／または周波数のトラッキング用の信号として、ＣＲＳの一部のアンテナポート（例えば、アンテナポート０だけ）あるいは全部のアンテナポートに対応する信号と同様の信号（拡張同期信号と呼称する）を挿入することができる。ここで、アンテナポートは送信ポートと称されてもよい。ここで、“物理チャネル／物理信号がアンテナポートで送信される”とは、アンテナポートに対応する無線リソースやレイヤを用いて物理チャネル／物理信号が送信されるという意味を含む。例えば、受信部は、アンテナポートに対応する無線リソースやレイヤから物理チャネルや物理信号を受信することを意味する。
【００７７】
図６は、本実施形態に係る上りリンクの無線フレーム構成の一例を示す図である。上りリンクは、ＬＴＥセルにおいてはＳＣ−ＦＤＭＡ方式が用いられ、ＮＲセルにおいてはＳＣ−ＦＤＭＡ方式またはＯＦＤＭ方式が用いられる。
【００７８】
端末装置から基地局装置への上りリンクの無線通信では、以下の上りリンク物理チャネルが用いられる。ここで、上りリンク物理チャネルは、上位層から出力された情報を送信するために用いられる。
・ＰＵＣＣＨ（Physical Uplink Control Channel）
・ｓＰＵＣＣＨ（short/shorter/shortened Physical Uplink Control Channel, PUCCH for short TTI）
・ＰＵＳＣＨ（Physical Uplink Shared Channel）
・ｓＰＵＳＣＨ（short/shorter/shortened Physical Uplink Shared Channel, PUSCH fo
r short TTI）
・ＰＲＡＣＨ（Physical Random Access Channel）
・ｓＰＲＡＣＨ（short/shorter/shortened Physical Random Access Channel, PRACH for short TTI）
【００７９】
上りリンクの無線通信では、以下の上りリンク物理信号が用いられる。ここで、上りリンク物理信号は、上位層から出力された情報を送信するために用いられないが、物理層によって用いられる。
・上りリンク参照信号（Uplink Reference Signal : UL RS）
【００８０】
本実施形態において、以下の２つのタイプの上りリンク参照信号が用いられる。
・ＤＭＲＳ（Demodulation Reference Signal）
・ＳＲＳ（Sounding Reference Signal）
【００８１】
上りリンクでは、ＰＵＳＣＨ（Physical Uplink Shared Channel）、ＰＵＣＣＨ（Physical Uplink Control Channel）などが割り当てられる。また、ＰＵＳＣＨやＰＵＣＣＨ
とともに、ＵＬＲＳ（Uplink Reference Signal）が割り当てられる。上りリンクの無線
フレームは、上りリンクのＲＢペアから構成されている。この上りリンクのＲＢペアは、上りリンクの無線リソースの割り当てなどの単位であり、予め決められた幅の周波数領域（ＲＢ帯域幅）および時間領域（２個のスロット＝１個のサブフレーム）からなる。１個の上りリンクのＲＢペアは、時間領域で連続する２個の上りリンクのＲＢ（ＲＢ帯域幅×スロット）から構成される。１個の上りリンクのＲＢは、周波数領域において１２個のサブキャリアから構成される。時間領域においては、ＮＣＰが付加される場合には７個、ＥＣＰが付加される場合には６個のＳＣ−ＦＤＭＡシンボルから構成される。なお、ここでは１つのＣＣにおける上りリンクサブフレームを記載しているが、ＣＣ毎に上りリンクサブフレームが規定されてもよい。
【００８２】
図５と図６は、異なる物理チャネル／物理信号は周波数分割多重（ＦＤＭ）および／または時分割多重（ＴＤＭ）されている例を示している。
【００８３】
なお、ｓＴＴＩ（short/shorter/shortened Transmission Time Interval）に対して、種々の物理チャネルおよび／または物理信号が送信される場合、各物理チャネルおよび／または物理信号はそれぞれ、ｓＰＤＳＣＨ、ｓＰＤＣＣＨ、ｓＰＵＳＣＨ、ｓＰＵＣＣＨ、ｓＰＲＡＣＨと称されてもよい。
【００８４】
ｓＴＴＩに対して物理チャネルが送信される場合には、その物理チャネルを構成するＯＦＤＭシンボルおよび／またはＳＣ−ＦＤＭＡシンボルの数は、ＮＣＰで１４シンボル（ＥＣＰで１２シンボル）以下のシンボル数を用いてもよい。また、ｓＴＴＩに対する物理チャネルに用いられるシンボルの数は、ＤＣＩおよび／またはＤＣＩフォーマットを用いて設定されてもよいし、上位層シグナリングを用いて設定されてもよい。ｓＴＴＩに用いられるシンボルの数だけでなく、時間方向のスタートシンボルが設定されてもよい。
【００８５】
また、ｓＴＴＩは、システム帯域幅内の特定の帯域幅内で送信されてもよい。ｓＴＴＩとして設定される帯域幅は、ＤＣＩおよび／またはＤＣＩフォーマットを用いて設定されてもよいし、上位層シグナリング（ＲＲＣシグナリング、ＭＡＣ  ＣＥ）を用いて設定されてもよい。帯域幅は、スタートとエンドのリソースブロックインデックスまたは周波数ポジションを用いて設定されてもよいし、帯域幅とスタートのリソースブロックインデックス／周波数ポジションを用いて設定されてもよい。ｓＴＴＩがマップされる帯域幅をｓＴＴＩバンドと称されてもよい。ｓＴＴＩバンド内でマップされる物理チャネルをｓＴＴＩに対する物理チャネルと称されてもよい。ｓＴＴＩに対する物理チャネルには、ｓＰＤ
ＳＣＨ、ｓＰＤＣＣＨ、ｓＰＵＳＣＨ、ｓＰＵＣＣＨ、ｓＰＲＡＣＨが含まれてもよい。
【００８６】
ｓＴＴＩを規定するために用いられる情報／パラメータがＤＣＩおよび／またはＤＣＩフォーマットを用いて設定される場合、それらのＤＣＩおよび／またはＤＣＩフォーマットは特定のＲＮＴＩを用いてスクランブルされてもよいし、特定のＲＮＴＩによってスクランブルされたＣＲＣがＤＣＩフォーマットを構成するビット列に付加されてもよい。
【００８７】
ここで、下りリンク物理チャネルおよび下りリンク物理信号を総称して、下りリンク信号とも称する。また、上りリンク物理チャネルおよび上りリンク物理信号を総称して、上りリンク信号とも称する。下りリンク物理チャネルおよび上りリンク物理チャネルを総称して、物理チャネルとも称する。下りリンク物理信号および上りリンク物理信号を総称して、物理信号とも称する。
【００８８】
ＰＢＣＨは、端末装置で共通に用いられるマスターインフォメーションブロック（MIB,
Broadcast Channel: BCH）を報知するために用いられる。
【００８９】
ＰＣＦＩＣＨは、ＰＤＣＣＨの送信に用いられる領域（ＯＦＤＭシンボル）を指示する情報を送信するために用いられる。
【００９０】
ＰＨＩＣＨは、基地局装置が受信した上りリンクデータ（Uplink Shared Channel: UL-SCH）に対するＡＣＫ（ACKnowledgement）またはＮＡＣＫ（Negative ACKnowledgement）を示すＨＡＲＱインディケータ（ＨＡＲＱフィードバック、応答情報）を送信するために用いられる。
【００９１】
ＰＤＣＣＨ、ＥＰＤＣＣＨ、および／または、ｓＰＤＣＣＨは、下りリンク制御情報（ＤＣＩ）を送信するために用いられる。本実施形態において、ＰＤＣＣＨは、ＥＰＤＣＣＨを含んでもよい。また、ＰＤＣＣＨは、ｓＰＤＣＣＨを含んでもよい。
【００９２】
ここで、ＰＤＣＣＨ、ＥＰＤＣＣＨ、および／または、ｓＰＤＣＣＨで送信されるＤＣＩに対して、用途やＤＣＩの構成に応じて、複数のＤＣＩフォーマットが定義されてもよい。すなわち、ＤＣＩに対するフィールドがＤＣＩフォーマットに定義され、情報ビットへマップされてもよい。
【００９３】
ここで、下りリンクに対するＤＣＩフォーマットを、下りリンクのＤＣＩ、下りリンクグラント（ＤＬグラント）、および／または、下りリンクスケジューリンググラント、および／または、下りリンクアサインメントとも称する。また、上りリンクに対するＤＣＩフォーマットを、上りリンクのＤＣＩ、上りリンクグラント（ＵＬグラント）、および／または、上りリンクスケジューリンググラント、および／または、上りリンクアサインメントとも称する。
【００９４】
例えば、下りリンクアサインメントとして、１つのセルにおける１つのＰＤＳＣＨのスケジューリングのために用いられるＤＣＩフォーマット（例えば、ＤＣＩフォーマット１、ＤＣＩフォーマット１Ａ、および／または、ＤＣＩフォーマット１Ｃ、および／または、ＤＣＩフォーマット２）が定義されてもよい。
【００９５】
また、上りリンクグラントとして、１つのセルにおける１つのＰＵＳＣＨのスケジューリングのために用いられるＤＣＩフォーマット（例えば、ＤＣＩフォーマット０、および／または、ＤＣＩフォーマット４）が定義されてもよい。
【００９６】
また、１つまたは複数の端末装置に対して、ＰＵＳＣＨまたはＰＵＣＣＨまたはＳＲＳ
の送信電力を制御（調整）するために用いられるＤＣＩフォーマット（例えば、ＤＣＩフォーマット３、および／または、ＤＣＩフォーマット３Ａ、および／または、ＤＣＩフォーマット３Ｂ）が定義されてもよい。
【００９７】
また、端末装置は、ＰＤＣＣＨ候補、ＥＰＤＣＣＨ候補、および／または、ｓＰＤＣＣＨ候補のセットをモニタしてもよい。以下、ＰＤＣＣＨは、ＥＰＤＤＣＨおよび／またはｓＰＤＣＣＨを含んでもよい。
【００９８】
ここで、ＰＤＣＣＨ候補とは、基地局装置によって、ＰＤＣＣＨが、配置および／または送信される可能性のある候補を示していてもよい。また、モニタとは、モニタされる全てのＤＣＩフォーマットに応じて、ＰＤＣＣＨ候補のセット内のＰＤＣＣＨのそれぞれに対して、端末装置がデコードを試みるという意味が含まれてもよい。
【００９９】
ここで、端末装置が、モニタするＰＤＣＣＨ候補のセットは、サーチスペースとも称される。サーチスペースには、ＣＳＳ（Common Search Space）が含まれてもよい。例えば
、ＣＳＳは、複数の端末装置に対して共通なスペースとして定義されてもよい。
【０１００】
また、サーチスペースには、ＵＳＳ（UE-specific Search Space）が含まれてもよい。例えば、ＵＳＳは、少なくとも、端末装置に対して割り当てられるＣ−ＲＮＴＩ（Cell-Radio Network Temporary Identifier）に基づいて与えられてもよい。端末装置は、ＣＳ
Ｓ、および／または、ＵＳＳにおいて、ＰＤＣＣＨをモニタし、自装置宛てのＰＤＣＣＨを検出してもよい。
【０１０１】
サーチスペースは、ＣＳＳかＵＳＳ（つまり、サーチスペースの種類）、アグリゲーションレベル、サーチスペースのサイズに応じて、サーチスペースのＰＤＣＣＨ候補の数が定義されてもよい。どのサーチスペースでＰＤＣＣＨをモニタ（検出、受信）するかは、ＣＳＳかＵＳＳ、アグリゲーションレベル、ＲＮＴＩ（例えば、Ｃ−ＲＮＴＩ）の値、クロスキャリアスケジューリングが設定されているとすればＳＣｅｌｌに対応するＣＩの値に基づいてもよい。
【０１０２】
ここで、ＤＣＩフォーマットには、ＣＳＳにマップされるＤＣＩフォーマット、および、ＵＳＳにマップされるＤＣＩフォーマットが定義されてもよい。
【０１０３】
また、ＤＣＩの送信（ＰＤＣＣＨでの送信）には、基地局装置が、端末装置に割り当てたＲＮＴＩが利用されてもよい。具体的には、ＤＣＩフォーマット（ＤＣＩでもよい）にＣＲＣ（Cyclic Redundancy Check）パリティビットが付加され、付加された後に、ＣＲ
ＣパリティビットがＲＮＴＩによってスクランブルされてもよい。ここで、ＤＣＩフォーマットに付加されるＣＲＣパリティビットは、ＤＣＩフォーマットのペイロードから得られてもよい。
【０１０４】
ここで、本実施形態において、「ＣＲＣパリティビット」、「ＣＲＣビット」、および、「ＣＲＣ」は、同じ意味を含んでもよい。また、「ＣＲＣパリティビットが付加されたＤＣＩフォーマットが送信されるＰＤＣＣＨ」、「ＣＲＣパリティビットを含み、且つ、ＤＣＩフォーマットを含むＰＤＣＣＨ」、「ＣＲＣパリティビットを含むＰＤＣＣＨ」、および、「ＤＣＩフォーマットを含むＰＤＣＣＨ」は、同じ意味を含んでもよい。また、「Ｘを含むＰＤＣＣＨ」、および、「Ｘを伴うＰＤＣＣＨ」は、同じ意味を含んでもよい。端末装置は、ＤＣＩフォーマットをモニタしてもよい。また、端末装置は、ＤＣＩをモニタしてもよい。また、端末装置は、ＰＤＣＣＨをモニタしてもよい。
【０１０５】
端末装置は、ＲＮＴＩによってスクランブルされたＣＲＣパリティビットが付加された
ＤＣＩフォーマットに対してデコードを試み、ＣＲＣが成功したＤＣＩフォーマットを、自装置宛のＤＣＩフォーマットとして検出する（ブラインドデコーディングとも称される）。すなわち、端末装置は、ＲＮＴＩによってスクランブルされたＣＲＣを伴うＰＤＣＣＨを検出してもよい。また、端末装置は、ＲＮＴＩによってスクランブルされたＣＲＣパリティビットが付加されたＤＣＩフォーマットを伴うＰＤＣＣＨを検出してもよい。
【０１０６】
ここで、ＲＮＴＩには、Ｃ−ＲＮＴＩが含まれてもよい。例えば、Ｃ−ＲＮＴＩは、ＲＲＣ接続およびスケジューリングの識別に対して使用される、端末装置に対するユニークな（一意的な）識別子であってもよい。また、Ｃ−ＲＮＴＩは、動的にスケジュールされるユニキャスト送信のために利用されてもよい。
【０１０７】
また、ＲＮＴＩには、ＳＰＳ  Ｃ−ＲＮＴＩ（Semi-Persistent Scheduling C-RNTI）
が含まれてもよい。例えば、ＳＰＳ  Ｃ−ＲＮＴＩは、セミパーシステントスケジューリングに対して使用される、端末装置に対するユニークな（一意的な）識別子である。また、ＳＰＳ  Ｃ−ＲＮＴＩは、半持続的（semi-persistently）にスケジュールされるユニ
キャスト送信のために利用されてもよい。ここで、半持続的にスケジュールされる送信とは、周期的にスケジュールされる送信の意味が含まれてもよい。
【０１０８】
また、ＲＮＴＩには、ＲＡ−ＲＮＴＩ（Random Access RNTI）が含まれてもよい。例えば、ＲＡ−ＲＮＴＩは、ランダムアクセスレスポンスメッセージの送信に対して使用される識別子であってもよい。すなわち、ＲＡ−ＲＮＴＩは、ランダムアクセスプロシージャにおいて、ランダムアクセスレスポンスメッセージの送信のために利用されてもよい。例えば、端末装置は、ランダムアクセスプリアンブルを送信した場合において、ＲＡ−ＲＮＴＩによってスクランブルされたＣＲＣを伴うＰＤＣＣＨをモニタしてもよい。また、端末装置は、ＲＡ−ＲＮＴＩによってスクランブルされたＣＲＣを伴うＰＤＣＣＨの検出に基づいて、ＰＤＳＣＨでランダムアクセスレスポンスを受信してもよい。
【０１０９】
ここで、Ｃ−ＲＮＴＩによってスクランブルされたＣＲＣを伴うＰＤＣＣＨは、ＵＳＳまたはＣＳＳにおいて送信されてもよい。また、ＳＰＳ  Ｃ−ＲＮＴＩによってスクランブルされたＣＲＣを伴うＰＤＣＣＨは、ＵＳＳまたはＣＳＳにおいて送信されてもよい。また、ＲＡ−ＲＮＴＩによってスクランブルされたＣＲＣを伴うＰＤＣＣＨは、ＣＳＳのみにマップされてもよい。
【０１１０】
ＣＲＣをスクランブルするＲＮＴＩには、ＲＡ−ＲＮＴＩ、Ｃ−ＲＮＴＩ、ＳＰＳ  Ｃ−ＲＮＴＩ、テンポラリーＣ−ＲＮＴＩ（ＴＣ−ＲＮＴＩ）、ｅＩＭＴＡ−ＲＮＴＩ、ＴＰＣ−ＰＵＣＣＨ−ＲＮＴＩ、ＴＰＣ−ＰＵＳＣＨ−ＲＮＴＩ、ｓｒｓ−ＴＰＣ−ＲＮＴＩ−ｒ１４、Ｍ−ＲＮＴＩ、Ｐ−ＲＮＴＩ、ＳＩ−ＲＮＴＩがある。
【０１１１】
ＲＡ−ＲＮＴＩ、Ｃ−ＲＮＴＩ、ＳＰＳ  Ｃ−ＲＮＴＩ、ＴＣ−ＲＮＴＩ、ｅＩＭＴＡ−ＲＮＴＩ、ＴＰＣ−ＰＵＣＣＨ−ＲＮＴＩ、ＴＰＣ−ＰＵＳＣＨ−ＲＮＴＩ、ｓｒｓ−ＴＰＣ−ＲＮＴＩ−ｒ１４、Ｍ−ＲＮＴＩ、Ｐ−ＲＮＴＩ、ＳＩ−ＲＮＴＩのいずれかによってスクランブリングされたＣＲＣを伴うＰＤＣＣＨは、ＣＳＳ、または、Ｃ−ＲＮＴＩによるＵＳＳにマップされてもよい。
【０１１２】
ＲＡ−ＲＮＴＩ、Ｃ−ＲＮＴＩ、ＳＰＳ  Ｃ−ＲＮＴＩ、ｅＩＭＴＡ−ＲＮＴＩ、ＴＰＣ−ＰＵＣＣＨ−ＲＮＴＩ、ＴＰＣ−ＰＵＳＣＨ−ＲＮＴＩ、ｓｒｓ−ＴＰＣ−ＲＮＴＩ−ｒ１４は、上位層シグナリングを介して、基地局装置から端末装置に設定される。
【０１１３】
Ｍ−ＲＮＴＩ、Ｐ−ＲＮＴＩ、ＳＩ−ＲＮＴＩは１つの値に対応している。ここで、Ｐ−ＲＮＴＩは、ＰＣＨおよびＰＣＣＨに対応し、ページングとシステムインフォメーショ
ンの変更を通知するために用いられる。ＳＩ−ＲＮＴＩは、ＤＬ−ＳＣＨ、ＢＣＣＨに対応し、システムインフォメーションの報知に用いられる。ＲＡ−ＲＮＴＩは、ＤＬ−ＳＣＨに対応し、ランダムアクセスレスポンスに用いられる。
【０１１４】
ＲＡ−ＲＮＴＩ、Ｃ−ＲＮＴＩ、ＳＰＳ  Ｃ−ＲＮＴＩ、ＴＣ−ＲＮＴＩ、ｅＩＭＴＡ−ＲＮＴＩ、ＴＰＣ−ＰＵＣＣＨ−ＲＮＴＩ、ＴＰＣ−ＰＵＳＣＨ−ＲＮＴＩ、ｓｒｓ−ＴＰＣ−ＲＮＴＩ−ｒ１４は、上位層シグナリングを用いて設定される。
【０１１５】
Ｍ−ＲＮＴＩ、Ｐ−ＲＮＴＩ、ＳＩ−ＲＮＴＩは所定の値が定義されている。
【０１１６】
各ＲＮＴＩによってスクランブルされたＣＲＣを伴うＰＤＣＣＨは、ＲＮＴＩ（例えば、Ｃ−ＲＮＴＩ）の値によって、対応するトランスポートチャネルや論理チャネルが異なる場合もある。つまり、ＲＮＴＩの値によって、示される情報が異なる場合もある。
【０１１７】
１つのＳＩ−ＲＮＴＩは、すべてのＳＩメッセージと同様にＳＩＢ１にアドレスするために用いられる。
【０１１８】
ＤＣＩフォーマット０は、ＴＣ−ＲＮＴＩまたはＣ−ＲＮＴＩによってスクランブルされたＣＲＣを伴うＰＤＣＣＨを介して送信されてもよい。ＤＣＩフォーマット０は、ＣＳＳおよび／またはＵＳＳにマップされてもよい。
【０１１９】
ＤＣＩフォーマット１Ａは、ＴＣ−ＲＮＴＩまたはＣ−ＲＮＴＩまたはＳＰＳ  Ｃ−ＲＮＴＩまたはＲＡ−ＲＮＴＩによってスクランブルされたＣＲＣを伴うＰＤＣＣＨを介して送信されてもよい。ＤＣＩフォーマット１Ａは、ＣＳＳおよび／またはＵＳＳにマップされてもよい。
【０１２０】
ＤＣＩフォーマット２は、Ｃ−ＲＮＴＩによってスクランブルされたＣＲＣを伴うＰＤＣＣＨを介して送信されてもよい。ＤＣＩフォーマット２は、ＣＳＳにマップされてもよい。
【０１２１】
ＤＣＩフォーマット３および／またはＤＣＩフォーマット３Ａは、ＴＰＣ−ＰＵＣＣＨ−ＲＮＴＩまたはＴＰＣ−ＰＵＳＣＨ−ＲＮＴＩによってスクランブルされたＣＲＣを伴うＰＤＣＣＨを介して送信されてもよい。ＤＣＩフォーマット３および／またはＤＣＩフォーマット３Ａは、ＣＳＳにマップされてもよい。
【０１２２】
ＤＣＩフォーマット３Ｂは、ｓｒｓ−ＴＰＣ−ＲＮＴＩ−ｒ１４によってスクランブルされたＣＲＣを伴うＰＤＣＣＨを介して送信されてもよい。ＤＣＩフォーマット３Ｂは、ＣＳＳにマップされてもよい。
【０１２３】
ＤＣＩフォーマット４は、Ｃ−ＲＮＴＩによってスクランブルされたＣＲＣを伴うＰＤＣＣＨを介して送信されてもよい。ＤＣＩフォーマット４は、ＵＳＳにマップされてもよい。
【０１２４】
端末装置は、下りリンクアサインメントを用いてＰＤＳＣＨのリソースがスケジュールされた場合には、スケジューリングに基づき、ＰＤＳＣＨで下りリンクデータ（ＤＬ−ＳＣＨ、ＤＬトランスポートブロック）を受信してもよい。また、端末装置は、上りリンクグラントを用いてＰＵＳＣＨのリソースがスケジュールされた場合には、スケジューリングに基づき、ＰＵＳＣＨを用いて上りリンクデータ（ＵＬ−ＳＣＨ、ＵＬトランスポートブロック）および／または上りリンク制御情報（ＵＣＩ）を送信してもよい。また、端末装置は、上りリンクグラントを用いてｓＰＵＳＣＨのリソースがスケジュールされた場合
には、スケジューリングに基づき、ｓＰＵＳＣＨで上りリンクデータおよび／またはＵＣＩを送信してもよい。
【０１２５】
ＤＣＩフォーマットには以下の（Ｂ１）から（Ｂ１９）のうち、少なくとも１つまたは複数の情報またはフィールド（情報フィールド）が含まれてもよい。また、一部の情報は、１つのフィールドに含まれて構成されてもよい。
（Ｂ１）ＣＩ（Carrier Indicator）
（Ｂ２）上りリンクＤＣＩフォーマットと下りリンクＤＣＩフォーマットの切り替えフラグ
（Ｂ３）周波数ホッピングフラグ
（Ｂ４）ＰＵＳＣＨに対するリソースブロックアサインメントとホッピングリソースアロケーション
（Ｂ５）ＰＤＳＣＨに対する局所または分散ＶＲＢ（Virtual Resource Block）アサインメントフラグ
（Ｂ６）ＰＤＳＣＨに対するリソースブロックアサインメント
（Ｂ７）ＭＣＳ（Modulation and coding scheme）
（Ｂ８）ＲＶ（Redundancy Version）
（Ｂ９）ＮＤＩ（New Data Indicator）
（Ｂ１０）ＨＰＮ（HARQ process number）
（Ｂ１１）ＰＵＳＣＨのためのＴＰＣ（Transmission Power Control）コマンド
（Ｂ１２）ＰＵＣＣＨのためのＴＰＣ（Transmission Power Control）コマンド
（Ｂ１３）ＵＬインデックス
（Ｂ１４）ＤＡＩ（Downlink Assignment Index）
（Ｂ１５）ＳＲＳリクエスト
（Ｂ１６）ＣＳＩリクエスト
（Ｂ１７）リソースアロケーションタイプ
（Ｂ１８）ＡＲＯ（HARQ-ACK Resource Offset）
（Ｂ１９）ＳＲＳタイミングオフセット
【０１２６】
（Ｂ１）は、ＰＵＳＣＨまたはＰＤＳＣＨがスケジュールされるＣＣを示すために用いられる。
【０１２７】
（Ｂ２）は、検出したＤＣＩフォーマットが上りリンクＤＣＩフォーマット（例えば、ＤＣＩフォーマット０）であるか下りリンクＤＣＩフォーマット（例えば、ＤＣＩフォーマット１Ａ）であるかを示すために用いられる。
【０１２８】
（Ｂ３）および（Ｂ４）および（Ｂ１８）は、ＰＵＳＣＨのリソース割当を示すために用いられる。（Ｂ４）のフィールドに必要なビット数は、上りリンクＣＣの最大送信帯域幅に基づいて決定されてもよい。
【０１２９】
（Ｂ５）および（Ｂ６）は、ＰＤＳＣＨのリソース割当を示すために用いられる。（Ｂ５）のフィールドに必要なビット数は、下りリンクＣＣの最大送信帯域幅に基づいて決定されてもよい。
【０１３０】
（Ｂ７）は、ＰＵＳＣＨまたはＰＤＳＣＨのＭＣＳを示すために用いられる。
【０１３１】
（Ｂ９）は、スケジュールされたＰＵＳＣＨまたはＰＤＳＣＨ（トランスポートブロック）の送信が新規送信か再送信かを示すために用いられる。
【０１３２】
（Ｂ１０）は、対応するＨＡＲＱプロセスの番号（ＩＤ）を示すために用いられる。Ｈ
ＡＲＱプロセスは、あるトランスポートブロックを含むＰＤＳＣＨ送信から対応するＨＡＲＱ−ＡＣＫの送信、ＮＡＣＫであった場合の該トランスポートブロックを含むＰＤＳＣＨの再送信までの一連の処理をパラレルに行なうために、ＩＤを振って管理する。（Ｂ１０）のフィールドに必要なビット数は、少なくともプライマリセルのデュプレックスモードおよび／またはＦＳがＦＤＤかＴＤＤに応じて決定されてもよい。
【０１３３】
（Ｂ１１）は、ＰＵＳＣＨの送信電力を調整するために用いられる。
【０１３４】
（Ｂ１２）は、ＰＵＣＣＨの送信電力を調整するために用いられる。
【０１３５】
（Ｂ１５）は、ＳＲＳの送信を要求するために用いられる。
【０１３６】
（Ｂ１６）は、ＣＳＩの送信（ＣＳＩレポート）を要求するために用いられる。
【０１３７】
ＰＤＳＣＨは、下りリンクデータ（Downlink Shared Channel: DL-SCH）を送信するた
めに用いられる。また、ＰＤＳＣＨは、システムインフォメーションメッセージを送信するために用いられる。ここで、システムインフォメーションメッセージは、セルスペシフィックな情報であってもよい。また、システムインフォメーションは、ＲＲＣシグナリングに含まれてもよい。また、ＰＤＳＣＨは、ＲＲＣシグナリング、および、ＭＡＣコントロールエレメントを送信するために用いられてもよい。
【０１３８】
ＰＭＣＨは、マルチキャストデータ（Multicast Channel: MCH）を送信するために用いられる。
【０１３９】
同期信号は、端末装置が下りリンクの周波数領域および時間領域の同期をとるために用いられる。ＴＤＤ方式において、同期信号は無線フレーム内のサブフレーム０、１、５、６に配置される。ＦＤＤ方式において、同期信号は無線フレーム内のサブフレーム０と５に配置される。
【０１４０】
下りリンク参照信号は、端末装置が下りリンク物理チャネルの伝搬路補正を行なうために用いられる。ここで、下りリンク参照信号は、端末装置が下りリンクのチャネル状態情報を算出するために用いられる。
【０１４１】
ＤＳは、ＤＳに関するパラメータが設定された周波数において、時間周波数同期やセル識別、ＲＲＭ（Radio Resource Management）測定（イントラおよび／またはインター周
波数測定）に用いられる。また、ＤＳは複数の信号から構成され、それらの信号が同じ周期で送信される。ＤＳは、ＰＳＳ／ＳＳＳ／ＣＲＳのリソースを用いて構成され、さらに、ＣＳＩ−ＲＳのリソースを用いて構成されてもよい。ＤＳにおいて、ＣＲＳやＣＳＩ−ＲＳがマップされるリソースを用いて、ＲＳＲＰ（Reference Signal Received Power）
やＲＳＲＱ（Reference Signal Received Quality）が測定されてもよい。端末装置は、
ＰＳＳおよびＳＳＳを検出することによってセルＩＤを検出できてもよい。
【０１４２】
ＢＣＨ、ＭＣＨ、ＵＬ−ＳＣＨおよびＤＬ−ＳＣＨは、トランスポートチャネルである。媒体アクセス制御（ＭＡＣ）層で用いられるチャネルをトランスポートチャネルと称する。ＭＡＣ層で用いられるトランスポートチャネルの単位を、トランスポートブロック（ＴＢ）またはＭＡＣ  ＰＤＵ（Protocol Data Unit）とも称する。ＭＡＣ層においてトランスポートブロック毎にＨＡＲＱ（Hybrid Automatic Repeat reQuest）の制御が行なわ
れる。トランスポートブロックは、ＭＡＣ層が物理層に渡す（deliver）データの単位で
ある。物理層において、トランスポートブロックはコードワードにマップされ、コードワード毎に符号化処理が行なわれる。
【０１４３】
ＰＵＣＣＨ、および／または、ｓＰＵＣＣＨは、上りリンク制御情報（ＵＣＩ）を送信（またはフィードバック）するために用いられる。以下、ＰＵＣＣＨは、ｓＰＵＣＣＨを含んでもよい。ここでＵＣＩには、下りリンクのチャネルの状態を示すために用いられるチャネル状態情報（ＣＳＩ）が含まれてもよい。また、ＵＣＩには、ＵＬ−ＳＣＨのリソースを要求するために用いられるスケジューリング要求（ＳＲ）が含まれてもよい。また、ＵＣＩには、ＨＡＲＱ−ＡＣＫ（Hybrid Automatic Repeat request ACKnowledgement
）が含まれてもよい。
【０１４４】
ここで、ＨＡＲＱ−ＡＣＫは、下りリンクデータ（Transport block, Medium Access Control Protocol Data Unit: MAC PDU, Downlink-Shared Channel: DL-SCH, Physical Downlink Shared Channel: PDSCH）に対するＨＡＲＱ−ＡＣＫを示してもよい。すなわち、ＨＡＲＱ−ＡＣＫは、下りリンクデータに対するＡＣＫ（Acknowledgement, positive-acknowledgment）またはＮＡＣＫ（Negative-acknowledgement）を示してもよい。つまり、ＨＡＲＱは、下りリンクデータの検出および／または復調復号の成功または失敗を示すために用いられてもよい。また、ＣＳＩは、チャネル品質インディケータ（ＣＱＩ）、プレコーディングマトリックスインディケータ（ＰＭＩ）、および／または、ランクインディケーション（ＲＩ）で構成されてもよい。ＨＡＲＱ−ＡＣＫは、ＨＡＲＱ−ＡＣＫ応答と称されてもよい。
【０１４５】
ＰＵＣＣＨは、該ＰＵＣＣＨで送信されるＵＣＩの種類や組み合わせ、ＵＣＩのペイロードサイズに応じてフォーマットが規定されてもよい。
【０１４６】
ＰＵＣＣＨフォーマット１は、ポジティブＳＲを送信するために用いられる。
【０１４７】
ＰＵＣＣＨフォーマット１ａは、１ビットのＨＡＲＱ−ＡＣＫ、または、ＦＤＤまたはＦＤＤ−ＴＤＤプライマリセルＦＳ１の場合、ポジティブＳＲを伴う１ビットのＨＡＲＱ−ＡＣＫ、を送信するために用いられる。なお、ＦＤＤ−ＴＤＤプライマリセルＦＳは、ＦＤＤ−ＴＤＤ  ＣＡを行なう場合のプライマリセルのＦＳを示している。つまり、ＦＤＤ−ＴＤＤ  ＣＡにおけるあるＦＳのプライマリセルと言い換えることができる。また、セカンダリセルについても同様に示すことができる。
【０１４８】
ＰＵＣＣＨフォーマット１ｂは、２ビットのＨＡＲＱ−ＡＣＫ、または、ポジティブＳＲを伴う２ビットのＨＡＲＱ−ＡＣＫ、を送信するために用いられる。
【０１４９】
また、ＰＵＣＣＨフォーマット１ｂは、端末装置に１つよりも多いサービングセルが設定された時、または、ＴＤＤの場合、端末装置に１つのサービングセルが設定された時、チャネル選択を使って、４ビットまでのＨＡＲＱ−ＡＣＫを送信するために用いられてもよい。
【０１５０】
チャネル選択は、複数のＰＵＣＣＨリソースのうち、何れか１つを選択することによって、同じビットの値であっても、その解釈を変えることができる。例えば、第１のＰＵＣＣＨリソースと第２のＰＵＣＣＨリソースで、同じビットの値であっても、その示す内容は異なってもよい。チャネル選択により、複数のＰＵＣＣＨリソースを用いることによって、ＨＡＲＱ−ＡＣＫを拡張することができる。
【０１５１】
ＰＵＣＣＨフォーマット２は、ＨＡＲＱ−ＡＣＫを多重しない時のＣＳＩレポートを送信するために用いられる。
【０１５２】
また、ＰＵＣＣＨフォーマット２は、ＥＣＰに対するＨＡＲＱ−ＡＣＫを多重したＣＳ
Ｉレポートを送信するために用いられてもよい。
【０１５３】
ＰＵＣＣＨフォーマット２ａは、ＮＣＰに対する１ビットのＨＡＲＱ−ＡＣＫを多重したＣＳＩレポートを送信するために用いられる。
【０１５４】
ＰＵＣＣＨフォーマット２ｂは、ＮＣＰに対する２ビットのＨＡＲＱ−ＡＣＫを多重したＣＳＩレポートを送信するために用いられる。
【０１５５】
ＮＣＰだけがサポートされたＰＵＣＣＨフォーマット２ａ／２ｂにおいて、あるビット列は、ＰＵＣＣＨに対するＤＭＲＳの生成に用いられた１つの変調シンボルにマップされる。つまり、ＮＣＰだけがサポートされたＰＵＣＣＨフォーマット２ａ／２ｂにおいて、ＤＭＲＳシンボルをデータが割り当て可能なシンボルとして用いることができる。
【０１５６】
ＰＵＣＣＨフォーマット３は、ＦＤＤまたはＦＤＤ−ＴＤＤプライマリセルＦＳ１に対して１０ビットまでのＨＡＲＱ−ＡＣＫ、ＴＤＤに対して２０ビットのＨＡＲＱ−ＡＣＫ、ＦＤＤ−ＴＤＤプライマリセルＦＳ２に対して２１ビットのＨＡＲＱ−ＡＣＫを送信するために用いられる。
【０１５７】
ここで、本実施形態において、ＦＤＤに対する処理は、ＦＤＤ  ＣＡに対する処理を含んでもよい。ＴＤＤに対する処理は、ＴＤＤ  ＣＡに対する処理を含んでもよい。ＦＤＤ−ＴＤＤに対する処理は、ＦＤＤ−ＴＤＤ  ＣＡに対する処理を含んでもよい。
【０１５８】
また、ＰＵＣＣＨフォーマット３は、ＦＤＤまたはＦＤＤ−ＴＤＤに対して１０ビットのＨＡＲＱ−ＡＣＫおよび１ビットのポジティブ／ネガティブＳＲに対応する１１ビットまでのＵＣＩ、および、ＴＤＤに対して２０ビットのＨＡＲＱ−ＡＣＫおよび１ビットのポジティブ／ネガティブＳＲに対応する２１ビットのＵＣＩ、および、ＦＤＤ−ＴＤＤプライマリセルＦＳ２に対して２１ビットまでのＨＡＲＱ−ＡＣＫおよび１ビットのポジティブ／ネガティブＳＲに対応する２２ビットのＵＣＩ、を送信するために用いられてもよい。
【０１５９】
また、ＰＵＣＣＨフォーマット３は、ＦＤＤまたはＦＤＤ−ＴＤＤに対して１０ビットのＨＡＲＱ−ＡＣＫおよび１ビットのポジティブ／ネガティブＳＲに対応する１１ビットまでのＵＣＩ、および、ＴＤＤに対して２０ビットのＨＡＲＱ−ＡＣＫおよび１ビットのポジティブ／ネガティブＳＲに対応する２１ビットのＵＣＩ、および、ＦＤＤ−ＴＤＤプライマリセルＦＳ２に対して２１ビットまでのＨＡＲＱ−ＡＣＫおよび１ビットのポジティブ／ネガティブＳＲに対応する２２ビットのＵＣＩ、を送信するために用いられてもよい。
【０１６０】
また、ＰＵＣＣＨフォーマット３は、ＨＡＲＱ−ＡＣＫ、および、（もしあれば）１ビットのポジティブ／ネガティブＳＲ、および、ＣＳＩレポートを送信するために用いられてもよい。
【０１６１】
ＰＵＣＣＨフォーマット４は、ＨＡＲＱ−ＡＣＫ、（もしあれば）ＳＲ、および、（もしあれば）周期的なＣＳＩレポートを含む２２ビットよりも多いＵＣＩを送信するために用いられる。
【０１６２】
また、ＰＵＣＣＨフォーマット４は、１つよりも多いＣＳＩレポート、および、（もしあれば）ＳＲを送信するために用いられてもよい。
【０１６３】
ＰＵＣＣＨフォーマット５は、ＨＡＲＱ−ＡＣＫ、（もしあれば）ＳＲ、および、（も
しあれば）周期的なＣＳＩレポートを含む２２ビットよりも多いＵＣＩを送信するために用いられる。
【０１６４】
また、ＰＵＣＣＨフォーマット５は、１つよりも多いＣＳＩレポート、および、（もしあれば）ＳＲを送信するために用いられてもよい。
【０１６５】
ＰＵＣＣＨフォーマットに基づいて、対応するＤＭＲＳの数や配置が異なってもよい。例えば、ＮＣＰが付加される場合、ＰＵＣＣＨフォーマット１／１ａ／１ｂに対しては１スロット内に３つのＤＭＲＳが配置され、ＰＵＣＣＨフォーマット２／２ａ／２ｂ／３に対しては１スロット内に２つのＤＭＲＳが配置され、ＰＵＣＣＨフォーマット４／５に対しては１スロット内に１つのＤＭＲＳが配置される。
【０１６６】
ＰＵＣＣＨがＳＲＳサブフレームで送信される場合には、短縮フォーマットが適用されるＰＵＣＣＨフォーマット（例えば、フォーマット１、１ａ、１ｂ、３）においては、ＳＲＳが割り当てられる可能性のある最後尾の１シンボルまたは２シンボル（そのサブフレームにおける２番目のスロットの最後尾の１シンボルまたは２シンボル）を空にして、つまり、短縮フォーマットでＰＵＣＣＨを送信してもよい。
【０１６７】
ＰＵＣＣＨフォーマット１／１ａ／１ｂとＰＵＣＣＨフォーマット２／２ａ／２ｂは、同じＲＢで送信されてもよい。ＰＵＣＣＨフォーマット１／１ａ／１ｂとＰＵＣＣＨフォーマット２／２ａ／２ｂの送信に用いられるＲＢにおけるＰＵＣＣＨフォーマット１／１ａ／１ｂに対するサイクリックシフトは個別に設定されてもよい。
【０１６８】
ＰＵＳＣＨ、および／または、ｓＰＵＳＣＨは、上りリンクデータ（Uplink-Shared Channel: UL-SCH）を送信するために用いられる。以下、ＰＵＳＣＨは、ｓＰＵＳＣＨを含
んでもよい。また、ＰＵＳＣＨは、上りリンクデータと共にＨＡＲＱ−ＡＣＫおよび／またはＣＳＩを送信するために用いられてもよい。また、ＰＵＳＣＨは、ＣＳＩのみ、または、ＨＡＲＱ−ＡＣＫおよびＣＳＩのみを送信するために用いられてもよい。すなわち、ＰＵＳＣＨは、ＵＣＩのみを送信するために用いられてもよい。
【０１６９】
ここで、基地局装置と端末装置は、上位層（higher layer）において信号をやり取り（送受信）してもよい。例えば、基地局装置と端末装置は、無線リソース制御（Radio Resource Control : RRC）層において、ＲＲＣシグナリング（RRC message、RRC informationとも称される）を送受信してもよい。また、基地局装置と端末装置は、ＭＡＣ（Medium Access Control）層において、ＭＡＣコントロールエレメントをやり取り（送受信）して
もよい。ここで、ＲＲＣシグナリング、および／または、ＭＡＣコントロールエレメントを、上位層の信号（higher layer signaling）とも称する。
【０１７０】
ここで、本実施形態において、「上位層のパラメータ」、「上位層のメッセージ」、「上位層の信号」、「上位層の情報」、および、「上位層の情報要素」は、同一のものであってもよい。
【０１７１】
また、ＰＵＳＣＨは、ＲＲＣシグナリング、および、ＭＡＣコントロールエレメント（ＭＡＣ  ＣＥ）を送信するために用いられてもよい。ここで、基地局装置から送信されるＲＲＣシグナリングは、セル内における複数の端末装置に対して共通のシグナリングであってもよい。また、基地局装置から送信されるＲＲＣシグナリングは、ある端末装置に対して専用のシグナリング（dedicated signalingとも称する）であってもよい。すなわち
、ユーザ装置スペシフィックな情報は、ある端末装置に対して専用のシグナリングを用いて送信されてもよい。
【０１７２】
ＰＲＡＣＨ、および／または、ｓＰＲＡＣＨは、ランダムアクセスプリアンブルを送信するために用いられる。以下、ＰＲＡＣＨは、ｓＰＲＡＣＨを含んでもよい。例えば、ＰＲＡＣＨ（または、ランダムアクセスプロシージャ）は、端末装置が、基地局装置と時間領域の同期を取ることを主な目的として用いられる。また、ＰＲＡＣＨ（または、ランダムアクセスプロシージャ）は、初期接続確立（initial connection establishment）プロシージャ、ハンドオーバプロシージャ、接続再確立（connection re-establishment）プ
ロシージャ、上りリンク送信に対する同期（タイミング調整）、および、スケジューリング要求（ＰＵＳＣＨリソースの要求、ＵＬ−ＳＣＨリソースの要求）の送信のためにも用いられてもよい。
【０１７３】
ＤＭＲＳは、ＰＵＳＣＨ、ｓＰＵＳＣＨ、および／または、ＰＵＣＣＨの送信に関連する。すなわち、ＤＭＲＳは、ＰＵＳＣＨ、ｓＰＵＳＣＨ、または、ＰＵＣＣＨと時間多重されてもよい。例えば、基地局装置は、ＰＵＳＣＨ、ｓＰＵＳＣＨ、または、ＰＵＣＣＨの伝搬路補正を行なうためにＤＭＲＳを使用してもよい。ＤＭＲＳは、復調する物理チャネルの種類に応じて、時間多重の配置や多重するＤＭＲＳの数が異なってもよい。
【０１７４】
ＳＲＳは、ＰＵＳＣＨまたはＰＵＣＣＨの送信に関連しない。例えば、基地局装置は、上りリンクのチャネル状態または送信タイミングを測定するためにＳＲＳを使用してもよい。ＳＲＳには、上位層の信号によって関連するパラメータが設定された場合に送信するトリガタイプ０ＳＲＳと、上位層の信号によって関連するパラメータが設定され、且つ、上りリンクグラントに含まれるＳＲＳリクエストによって送信が要求された場合に送信するトリガタイプ１ＳＲＳがある。
【０１７５】
ＬＴＥの時間単位Ｔｓは、サブキャリア間隔（例えば、１５ｋＨｚ）とＦＦＴサイズ（例えば、２０４８）に基づいている。つまり、Ｔｓは、１／（１５０００×２０４８）秒である。１スロットの時間長は、１５３６０・Ｔｓ（つまり、０．５ｍｓ）である。１サブフレームの時間長は、３０７２０・Ｔｓ（つまり、１ｍｓ）である。１無線フレームの時間長は、３０７２００・Ｔｓ（つまり、１０ｍｓ）である。
【０１７６】
物理チャネルまたは物理信号のスケジューリングについて無線フレームを用いて管理している。１つの無線フレームの時間長は１０ミリ秒（ｍｓ）である。１つの無線フレームは１０サブフレームで構成される。さらに、１サブフレームは２つのスロットで構成される。すなわち、１つのサブフレームの時間長は１ｍｓ、１つのスロットの時間長は０．５ｍｓである。また、物理チャネルが配置されるスケジューリングの最小単位としてリソースブロックを用いて管理している。リソースブロックとは、周波数軸を複数サブキャリア（例えば１２サブキャリア）の集合で構成される一定の周波数領域と、一定の送信時間間隔（ＴＴＩ、スロット、シンボル）で構成される領域で定義される。なお、１サブフレームは、１リソースブロックペアと称されてもよい。
【０１７７】
また、１つのＴＴＩは１つのサブフレームまたは１つのサブフレームを構成するシンボルの数として規定されてもよい。例えば、ＮＣＰ（Normal Cyclic Prefix）の場合、１つのＴＴＩは、１４シンボルで構成されてもよい。また、ＥＣＰ（Extended CP）の場合、
１つのＴＴＩは、１２シンボルで構成されてもよい。なお、ＴＴＩは、受信側では受信時間間隔として規定されてもよい。ＴＴＩは、物理チャネルや物理信号の送信単位または受信単位として定義されてもよい。つまり、物理チャネルや物理信号の時間長は、ＴＴＩの長さに基づいて規定されてもよい。なお、シンボルは、ＳＣ−ＦＤＭＡシンボルおよび／またはＯＦＤＭシンボルが含まれてもよい。また、ＴＴＩの長さ（ＴＴＩ長）は、シンボルの数で表現されてもよい。また、ＴＴＩ長は、ミリ秒（ｍｓ）やマイクロ秒（μｓ）のような時間長で表現されてもよい。
【０１７８】
各シンボルには、物理チャネルおよび／または物理信号に係る系列がマップされる。系列の検出精度を高めるために、ＣＰが物理チャネルおよび／または物理信号に係る系列に付加される。ＣＰには、ＮＣＰとＥＣＰがあり、ＥＣＰの方がＮＣＰに比べ、付加する系列長が長い。なお、ＣＰに係る系列長は、ＣＰ長と称されてもよい。
【０１７９】
端末装置および基地局装置が、ＬＲ（Latency Reduction）に関連する機能をサポート
している場合、１つのＴＴＩはＮＣＰで１４シンボル（ＥＣＰで１２シンボル）より少ない数で構成されてもよい。例えば、１つのＴＴＩのＴＴＩ長は、２、３、７のいずれかのシンボル数で構成されてもよい。ＮＣＰで１４シンボル（ＥＣＰで１２シンボル）よりも少ないシンボル数で構成されるＴＴＩは、ｓＴＴＩ（short TTI, shorter TTI, shortened TTI）と称されてもよい。７シンボルで構成されるＴＴＩをスロットと称されてもよい
。７シンボルよりも少ないシンボル数で構成されるＴＴＩをサブスロットと称されてもよい。
【０１８０】
ＴＴＩ長がＮＣＰで１４シンボル（ＥＣＰで１２シンボル）のＴＴＩは、単に、ＴＴＩと称されてもよい。
【０１８１】
下りリンク送信に対するｓＴＴＩ（ＤＬ−ｓＴＴＩ）のＴＴＩ長は、２シンボルと７シンボルのいずれかが設定されてもよい。上りリンク送信に対するｓＴＴＩ（ＵＬ−ｓＴＴＩ）のＴＴＩ長は、２シンボルと、３または４シンボル、７シンボルのいずれかが設定されてもよい。ＤＬ−ｓＴＴＩ内に、ｓＰＤＣＣＨとｓＰＤＳＣＨが配置されてもよい。なお、ｓＰＵＳＣＨとｓＰＵＣＣＨとｓＰＲＡＣＨのＴＴＩ長は、個別に設定されてもよい。なお、ｓＰＤＳＣＨのＴＴＩ長には、ｓＰＤＣＣＨのシンボルが含まれてもよいし、ＰＤＣＣＨのシンボルが含まれてもよい。また、ｓＰＵＳＣＨおよび／またはｓＰＵＣＣＨのＴＴＩ長には、ＤＭＲＳのシンボルが含まれてもよいし、ＳＲＳのシンボルが含まれてもよい。
【０１８２】
上述した種々の物理チャネルおよび／または物理信号のサブキャリア間隔は、物理チャネルおよび／または物理信号毎に個別に規定／設定されてもよい。また、種々の物理チャネルおよび／または物理信号の１シンボルの時間長は、物理チャネルおよび／または物理信号毎に個別に規定／設定されてもよい。つまり、種々の物理チャネルおよび／または物理信号のＴＴＩ長は、物理チャネルおよび／または物理信号毎に個別に規定／設定されてもよい。
【０１８３】
本発明において、時間領域は、時間長やシンボルの数で表されてもよい。また、周波数領域は、帯域幅やサブキャリアの数や、周波数方向のリソースエレメントの数、リソースブロック数で表されてもよい。
【０１８４】
ＬＲセルでは、サブフレームのタイプや上位層の設定情報、Ｌ１シグナリングに含まれる制御情報に基づいて、ＴＴＩのサイズが変更可能であってもよい。
【０１８５】
ＬＲセルでは、グラントが不要なアクセスが可能であってもよい。なお、グラントが不要なアクセスとは、ＰＤＳＣＨやＰＵＳＣＨ（下りリンクや上りリンクの共用チャネル／データチャネル）のスケジュールを指示する制御情報（ＤＣＩフォーマット、下りリンクグラント、上りリンクグラント）を用いないアクセスのことである。つまり、ＬＲセルでは、ＰＤＣＣＨ（下りリンクの制御チャネル）を用いた、ダイナミックなリソース割り当てや送信指示を行なわないアクセス方式が適用されてもよい。
【０１８６】
ＬＲセルでは、端末装置は、端末装置の機能（性能、能力）および基地局装置からの設定に基づいて、下りリンクリソース（信号、チャネル）に対応するＨＡＲＱ−ＡＣＫおよ
び／またはＣＳＩフィードバックを、同じサブフレームにマップされた上りリンクリソース（信号、チャネル）を用いて行なってもよい。なお、このサブフレームにおいて、あるサブフレームにおけるＣＳＩの測定結果に対するＣＳＩに関する参照リソースは、同じサブフレームのＣＲＳまたはＣＳＩ−ＲＳであってもよい。このようなサブフレームは、自己完結型のサブフレームと呼称されてもよい。
【０１８７】
なお、自己完結型のサブフレームは、連続する１つ以上のサブフレームで構成されてもよい。つまり、自己完結型のサブフレームは、複数のサブフレームで構成されてもよいし、複数のサブフレームで構成される１つの送信バーストであってもよい。自己完結型のサブフレームを構成する最後尾のサブフレーム（最後尾を含む後方のサブフレーム）は、上りリンクサブフレームかスペシャルサブフレームであることが好ましい。つまり、この最後尾のサブフレームにおいて、上りリンク信号／チャネルが送信されることが好ましい。
【０１８８】
自己完結型のサブフレームが、複数の下りリンクサブフレームと１つの上りリンクサブフレームまたはスペシャルサブフレームで構成される場合、その複数の下りリンクサブフレームのそれぞれに対するＨＡＲＱ−ＡＣＫは、その１つの上りリンクサブフレームまたはスペシャルサブフレームのＵｐＰＴＳで送信されてもよい。
【０１８９】
通信装置は、信号を受信（復調復号）できたか否かに基づいて、その信号に対するＡＣＫまたはＮＡＣＫを決定する。ＡＣＫは、通信装置において、信号を受信できたことを示し、ＮＡＣＫは、通信装置において、信号を受信できなかったことを示す。ＮＡＣＫがフィードバックされた通信装置は、ＮＡＣＫである信号の再送信を行なってもよい。端末装置は、基地局装置から送信された、ＰＵＳＣＨに対するＨＡＲＱ−ＡＣＫの内容に基づいて、ＰＵＳＣＨを再送信するか否かを決定する。基地局装置は、端末装置から送信された、ＰＤＳＣＨまたはＰＤＣＣＨ／ＥＰＤＣＣＨに対するＨＡＲＱ−ＡＣＫの内容に基づいて、ＰＤＳＣＨを再送信するか否かを決定する。端末装置が送信したＰＵＳＣＨに対するＡＣＫ／ＮＡＣＫは、ＰＤＣＣＨまたはＰＨＩＣＨを用いて端末装置にフィードバックされる。基地局装置が送信したＰＤＳＣＨまたはＰＤＣＣＨ／ＥＰＤＣＣＨに対するＡＣＫ／ＮＡＣＫは、ＰＵＣＣＨまたはＰＵＳＣＨを用いて基地局装置にフィードバックされる。
【０１９０】
なお、本発明において、サブフレームは、基地局装置および／または端末装置の送信単位および／または受信単位を示している。
【０１９１】
基地局装置は、ＣＣＣＨ（Common Control Channel）に対するＬＣＩＤ（Logical Channel ID）と端末装置の能力情報（性能情報、機能情報）に基づいて端末装置がＬＲ（Latency Reduction）デバイスであることを決定してもよい。
【０１９２】
端末装置および／または基地局装置が、ＬＲに関する能力をサポートしている場合、受信信号および／または送信信号に用いられるＴＴＩの長さ（シンボル数）に基づいて、処理時間（処理遅延、レイテンシー）が決定されてもよい。つまり、ＬＲに関する能力をサポートしている端末装置および／または基地局装置の処理時間は、受信信号および／または送信信号に対するＴＴＩ長に基づいて可変であってもよい。
【０１９３】
Ｓ１シグナリングがページングに対する端末無線能力情報を含んで拡張している。このページング固有の能力情報が基地局装置によってＭＭＥ（Mobility Management Entity）に提供されると、ＭＭＥからのページング要求がＬＲ端末に関することを基地局装置に指示するために、ＭＭＥはこの情報を用いられてもよい。識別子は、ＩＤ（Identity, Identifier）と称されてもよい。
【０１９４】
端末装置の能力情報（UE radio access capability, UE EUTRA capability）は、基地
局装置（ＥＵＴＲＡＮ）が端末装置の能力情報が必要な時、接続モードの端末装置に対する手順を開始する。基地局装置は、端末装置の能力情報を問い合わせる。端末装置は、その問い合わせに応じて端末装置の能力情報を送信する。基地局装置は、その能力情報に対応しているか否かを判断し、対応している場合には、その能力情報に対応した設定情報を、上位層シグナリングなどを用いて端末装置へ送信する。端末装置は、能力情報に対応する設定情報が設定されたことによって、その機能に基づく送受信が可能であると判断する。
【０１９５】
物理チャネルおよび／または物理信号の設定に関するパラメータは上位層パラメータとして上位層シグナリングを介して端末装置に設定されてもよい。また、一部の物理チャネルおよび／または物理信号の設定に関するパラメータは、ＤＣＩフォーマットやグラントなど、Ｌ１シグナリング（物理層シグナリング、例えば、ＰＤＣＣＨ／ＥＰＤＣＣＨ）を介して端末装置に設定されてもよい。また、物理チャネルおよび／または物理信号の設定に関するパラメータはデフォルトの設定またはデフォルト値が端末装置に予め設定されてもよい。また、端末装置は、上位層シグナリングを用いて、それらの設定に関するパラメータが通知されると、デフォルト値を更新してもよい。また、対応する設定に応じて、その設定を通知するために用いられる上位層シグナリング／メッセージの種類は異なってもよい。例えば、上位層シグナリング／メッセージは、ＲＲＣメッセージや報知情報、システムインフォメーションなどが含まれてもよい。
【０１９６】
基地局装置は、ＬＡＡ周波数において、ＤＳを送信する場合、ＤＳオケージョン内にデータ情報および／または制御情報をマップしてもよい。そのデータ情報および／または制御情報には、ＬＡＡセルに関する情報が含まれてもよい。例えば、そのデータ情報および／または制御情報には、ＬＡＡセルが属する周波数、セルＩＤ、負荷や混雑状況、干渉／送信電力、チャネルの専有時間や送信データに関するバッファの状況が含まれてもよい。
【０１９７】
ＬＡＡ周波数において、ＤＳが測定される場合、ＤＳに含まれる各信号に用いられるリソースは拡張されてもよい。例えば、ＣＲＳは、アンテナポート０だけでなく、アンテナポート２や３などに対応するリソースが用いられてもよい。また、ＣＳＩ−ＲＳも、アンテナポート１５だけでなく、アンテナポート１６や１７などに対応するリソースが用いられてもよい。
【０１９８】
ＬＲセルにおいて、復調／復号用のＲＳとＣＳＩ測定用のＲＳは、共通のリソースであってもよいし、個別に規定される場合は異なるリソースであってもよい。
【０１９９】
次に、本実施形態に係るセルサーチについて説明する。
【０２００】
ＬＴＥにおいて、セルサーチは、端末装置があるセルの時間周波数同期を行ない、且つ、そのセルのセルＩＤを検出するための手順である。ＥＵＴＲＡセルサーチは、７２サブキャリア以上に対応する拡大縮小可能な全送信帯域幅をサポートする。ＥＵＴＲＡセルサーチは下りリンクにおいて、ＰＳＳとＳＳＳに基づいて行なわれる。ＰＳＳとＳＳＳは各無線フレームの１番目のサブフレームと６番目のサブフレームの帯域幅の中心の７２サブキャリアを用いて送信される。隣接のセルサーチは初期セルサーチとして同じ下りリンク信号に基づいて行なわれる。
【０２０１】
本実施形態において、“ＯＦＤＭシンボルおよび／またはＳＣ−ＦＤＭＡシンボルにＣＰが付加される”とは、“ＯＦＤＭシンボルおよび／またはＳＣ−ＦＤＭＡシンボルで送信される物理チャネルの系列にＣＰの系列が付加される”と同義であってもよい。なお、ＮＲにおいて、ＯＦＤＭシンボルかＳＣ−ＦＤＭＡシンボルかは、ＤＦＴプレコーディン
グが有効か無効かに基づいて決定されてもよい。
【０２０２】
次に、本実施形態に係るＰＤＳＣＨ関連のプロシージャについて説明する。
【０２０３】
端末装置が上位層パラメータｄｌ−ＴＴＩ−Ｌｅｎｇｔｈが設定されるとすれば、ＰＤＳＣＨはスロットまたはサブスロットで受信される。上位層パラメータｄｌ−ＴＴＩ−Ｌｅｎｇｔｈは、下りリンクＴＴＩに用いられるシンボル数（つまり、スロットまたはサブスロットを構成するシンボル数）を設定するために用いられるパラメータであってもよい。
【０２０４】
ＦＤＤに対して、端末装置が上位層パラメータｔｄｍ−Ｐａｔｔｅｒｎ−Ｓｉｎｇｌｅ−Ｔｘ−ｒ１５が設定されるとすれば、サービングセル毎に最大１６の下りリンクＨＡＲＱプロセスがあってもよい。それ以外の場合、サービングセル毎に最大８のＨＡＲＱプロセスがあってもよい。
【０２０５】
ＦＤＤ−ＴＤＤおよびＦＳ１のＰＣｅｌｌに対して、上位層パラメータｄｌ−ＴＴＩ−Ｌｅｎｇｔｈが設定されたサービングセル毎に最大１６のＨＡＲＱプロセスがあってもよい。
【０２０６】
ＦＤＤ−ＴＤＤおよびＦＳ１のＰＣｅｌｌに対して、端末装置が上位層パラメータｔｄｍ−Ｐａｔｔｅｒｎ−Ｓｉｎｇｌｅ−Ｔｘ−ｒ１５が設定されるとすれば、サービングセル毎に最大１６のＨＡＲＱプロセスがあってもよい。
【０２０７】
ＦＤＤ−ＴＤＤおよびＦＳ１のＰＣｅｌｌに対して、上記以外の場合には、サービングセル毎に最大８のＨＡＲＱプロセスがあってもよい。
【０２０８】
ＥＮ−ＤＣが設定され、且つ、１つまたは複数のＬＴＥセル（ＬＴＥ−ＦＤＤセルおよび／またはＬＴＥ−ＴＤＤセル）に対してシングル送信が適用された場合、端末装置は、サービングセル毎に最大１６の下りリンクＨＡＲＱプロセスを同時に処理してもよい。また、このような場合の下りリンクＨＡＲＱプロセスの最大数は、端末装置がサポートしている能力に基づいて、決定されてもよい。つまり、ＥＮ−ＤＣが設定され、且つ、ＬＴＥセルに対してシングル送信が適用される場合には、ＬＴＥ−ＦＤＤセルおよび／またはＬＴＥ−ＴＤＤセルに対して、最大１６（または所定の数）の下りリンクＨＡＲＱプロセスをサポートしていることを示す情報を、能力情報として、端末装置は基地局装置に送信してもよい。基地局装置は、受信した端末装置の能力情報に基づいて、下りリンクＨＡＲＱプロセスの最大数を設定してもよい。基地局装置は、設定した下りリンクＨＡＲＱプロセスの最大数を上位層パラメータとして、端末装置に設定してもよい。基地局装置は、設定した下りリンクＨＡＲＱプロセスの最大数に基づいてＨＰＮフィールドのビット数を決定してもよい。なお、シングル送信は、シングルチャネル送信および／またはシングルセル（シングルキャリア）送信および／またはシングルＲＡＴ送信のうち、少なくとも１つを含んでもよい。
【０２０９】
次に、本実施形態に係るＤＣＩフォーマット１ＡおよびＤＣＩフォーマット２に含まれるＨＰＮフィールドのビット数について説明する。
【０２１０】
ＨＰＮフィールドのビット数は、サービングセルにおけるＨＡＲＱプロセス（下りリンクＨＡＲＱプロセス）の最大数に応じて、決定されてもよい。例えば、該最大数が８の場合には、３ビットであり、該最大数が１６の場合には、４ビットであってもよい。また、該最大数が所定の数よりも大きい場合やＵＬ／ＤＬ設定に応じた所定の数が規定される場合には、所定のビット数（例えば、４ビット）であってもよい。
【０２１１】
ＦＤＤプライマリセルの場合（つまり、プライマリセルのデュプレックスモードがＦＤＤの場合、および／または、プライマリセルのＦＳがＦＳ１の場合）、上位層パラメータｄｌ−ＴＴＩ−Ｌｅｎｇｔｈが設定されるとすれば、ＨＰＮフィールドのビット数は、４ビットであってもよい。
【０２１２】
ＦＤＤプライマリセルの場合、上位層パラメータｔｄｍ−Ｐａｔｔｅｒｎ−Ｓｉｎｇｌｅ−Ｔｘ−ｒ１５が設定され、対応するＤＣＩ（該ＨＰＮフィールドを含むＤＣＩフォーマット）がＣ−ＲＮＴＩによって与えられたＵＳＳにおいてマップされるとすれば、ＨＰＮフィールドのビット数は、４ビットであってもよい。つまり、ＦＤＤプライマリセルの場合、且つ、上位層パラメータｔｄｍ−Ｐａｔｔｅｒｎ−Ｓｉｎｇｌｅ−Ｔｘ−ｒ１５が設定される場合には、該ＤＣＩフォーマット（つまり、ＤＣＩフォーマット１ＡまたはＤＣＩフォーマット２）がＦＤＤセル（またはＦＤＤ  ＳＣｅｌｌ）に対するＰＤＳＣＨをスケジュールすることを示しているのかＴＤＤセル（またはＴＤＤ  ＳＣｅｌｌ）に対するＰＤＳＣＨをスケジュールすることを示しているのかに因らず、ＨＰＮフィールドのビット数は、４ビットであってもよい。
【０２１３】
ＦＤＤプライマリセルの場合、上位層パラメータｔｄｍ−Ｐａｔｔｅｒｎ−Ｓｉｎｇｌｅ−Ｔｘ−ｒ１５の値に少なくとも基づき、対応するＤＣＩ（該ＨＰＮフィールドを含むＤＣＩフォーマット）がＣ−ＲＮＴＩによって与えられたＵＳＳにおいてマップされるとすれば、ＨＰＮフィールドのビット数が与えられてもよい。つまり、ＦＤＤプライマリセルの場合、且つ、上位層パラメータｔｄｍ−Ｐａｔｔｅｒｎ−Ｓｉｎｇｌｅ−Ｔｘ−ｒ１５が所定の値を示す場合には、該ＤＣＩフォーマット（つまり、ＤＣＩフォーマット１ＡまたはＤＣＩフォーマット２）がＦＤＤセル（またはＦＤＤ  ＳＣｅｌｌ）に対するＰＤＳＣＨをスケジュールすることを示しているのかＴＤＤセル（またはＴＤＤ  ＳＣｅｌｌ）に対するＰＤＳＣＨをスケジュールすることを示しているのかに因らず、ＨＰＮフィールドのビット数は、４ビットであってもよい。
【０２１４】
つまり、基地局装置は、ＦＤＤプライマリセルの場合、且つ、ＥＮ−ＤＣ設定を設定する場合、且つ、上位層パラメータｔｄｍ−Ｐａｔｔｅｒｎ−Ｓｉｎｇｌｅ−Ｔｘ−ｒ１５を設定する場合、ＨＰＮフィールドを含むＤＣＩフォーマットをＣ−ＲＮＴＩによって与えられたＵＳＳにマップするとすれば、該ＨＰＮフィールドのビット数を、４ビットにセットしてもよい。また、端末装置は、ＦＤＤプライマリセルの場合、且つ、ＥＮ−ＤＣ設定が設定される場合、且つ、上位層パラメータｔｄｍ−Ｐａｔｔｅｒｎ−Ｓｉｎｇｌｅ−Ｔｘ−ｒ１５が設定される場合、ＨＰＮフィールドを含むＤＣＩフォーマットがＣ−ＲＮＴＩによって与えられたＵＳＳにマップされるとすれば、該ＨＰＮフィールドのビット数が４ビットにセットされていると想定し、デコードしてもよい。
【０２１５】
ＦＤＤプライマリセルの場合、上記以外の場合には、ＨＰＮフィールドのビット数は、３ビットであってもよい。例えば、上位層パラメータｔｄｍ−Ｐａｔｔｅｒｎ−Ｓｉｎｇｌｅ−Ｔｘ−ｒ１５が設定される場合であっても、対応するＤＣＩ（該ＨＰＮフィールドを含むＤＣＩフォーマット）がＣＳＳにマップされるとすれば、ＨＰＮフィールドのビット数は、３ビットであってもよい。つまり、ＦＤＤプライマリセルの場合、且つ、上位層パラメータｔｄｍ−Ｐａｔｔｅｒｎ−Ｓｉｎｇｌｅ−Ｔｘ−ｒ１５が設定される場合には、該ＤＣＩフォーマット（つまり、ＤＣＩフォーマット１ＡまたはＤＣＩフォーマット２）がＦＤＤセル（またはＦＤＤ  ＳＣｅｌｌ）に対するＰＤＳＣＨをスケジュールすることを示しているのかＴＤＤセル（またはＴＤＤ  ＳＣｅｌｌ）に対するＰＤＳＣＨをスケジュールすることを示しているのかに因らず、該ＤＣＩフォーマットがＣＳＳにマップされるとすれば、ＨＰＮフィールドのビット数は、３ビットであってもよい。
【０２１６】
つまり、基地局装置は、ＦＤＤプライマリセルの場合、且つ、ＥＮ−ＤＣ設定を設定する場合、且つ、上位層パラメータｔｄｍ−Ｐａｔｔｅｒｎ−Ｓｉｎｇｌｅ−Ｔｘ−ｒ１５を設定する場合、ＨＰＮフィールドを含むＤＣＩフォーマットをＣＳＳにマップするとすれば、該ＨＰＮフィールドのビット数を、３ビットにセットしてもよい。また、端末装置は、ＦＤＤプライマリセルの場合、且つ、ＥＮ−ＤＣ設定が設定される場合、且つ、上位層パラメータｔｄｍ−Ｐａｔｔｅｒｎ−Ｓｉｎｇｌｅ−Ｔｘ−ｒ１５が設定される場合、ＨＰＮフィールドを含むＤＣＩフォーマットがＣＳＳにマップされるとすれば、該ＨＰＮフィールドのビット数が３ビットにセットされていると想定し、デコードしてもよい。
【０２１７】
ＴＤＤプライマリセルの場合（つまり、プライマリセルのデュプレックスモードがＴＤＤの場合、および／または、プライマリセルのＦＳがＦＳ２の場合）、ＨＰＮフィールドのビット数は、４ビットであってもよい。つまり、上位層パラメータｔｄｍ−Ｐａｔｔｅｒｎ−Ｓｉｎｇｌｅ−Ｔｘ−ｒ１５が設定されるかどうかに因らず、および／または、対応するＤＣＩ（該ＨＰＮフィールドを含むＤＣＩフォーマット）がＣＳＳか、Ｃ−ＲＮＴＩまたはＴＣ−ＲＮＴＩによって与えられたＵＳＳにマップされるかに因らず、および／または、該ＤＣＩフォーマット（つまり、ＤＣＩフォーマット１ＡまたはＤＣＩフォーマット２）がＦＤＤセル（つまり、デュプレックスモードがＦＤＤのサービングセル）に対するＰＤＳＣＨをスケジュールすることを示しているのかＴＤＤセル（つまり、デュプレックスモードがＴＤＤのサービングセル）に対するＰＤＳＣＨをスケジュールすることを示しているのかに因らず、ＨＰＮフィールドのビット数は、常に、４ビットであってもよい。
【０２１８】
例えば、基地局装置は、ＴＤＤプライマリセルの場合、且つ、ＥＮ−ＤＣ設定を設定する場合、且つ、上位層パラメータｔｄｍ−Ｐａｔｔｅｒｎ−Ｓｉｎｇｌｅ−Ｔｘ−ｒ１５を設定する場合、ＨＰＮフィールドを含むＤＣＩフォーマットをＣＳＳまたはＵＳＳにマップするとすれば、該ＨＰＮフィールドのビット数を、４ビットにセットしてもよい。また、端末装置は、ＴＤＤプライマリセルの場合、且つ、ＥＮ−ＤＣ設定が設定される場合、且つ、上位層パラメータｔｄｍ−Ｐａｔｔｅｒｎ−Ｓｉｎｇｌｅ−Ｔｘ−ｒ１５が設定される場合、ＨＰＮフィールドを含むＤＣＩフォーマットがＣ−ＲＮＴＩによって与えられたＵＳＳにマップされるとすれば、該ＨＰＮフィールドのビット数が４ビットにセットされていると想定し、デコードしてもよい。
【０２１９】
基地局装置によって制御される各周波数の通信可能範囲（通信エリア）はセルとしてみなされる。このとき、基地局装置がカバーする通信エリアは周波数毎にそれぞれ異なる広さ、異なる形状であっても良い。また、カバーするエリアが周波数毎に異なっていてもよい。基地局装置の種別やセル半径の大きさが異なるセルが、同一の周波数および／または異なる周波数のエリアに混在して一つの通信システムを形成している無線ネットワークのことを、ヘテロジニアスネットワークと称する。
【０２２０】
端末装置は電源を入れた直後など（例えば、起動時）、いずれのネットワークとも非接続状態である。このような非接続状態をアイドルモード（ＲＲＣアイドル）と称する。アイドルモードの端末装置は通信を行なうために、いずれかのネットワークとコネクトする必要がある。つまり、端末装置は、接続モード（ＲＲＣ接続）になる必要がある。ここで、ネットワークは、ネットワークに属する基地局装置やアクセスポイント、ネットワークサーバ、モデムなどを含んでもよい。
【０２２１】
端末装置と基地局装置は、ＣＡによって複数の異なる周波数バンド（周波数帯）の周波数（コンポーネントキャリア、または、周波数帯域）を集約（アグリゲート）して一つの周波数（周波数帯域）のように扱う技術を適用してもよい。コンポーネントキャリアには、上りリンク（上りリンクセル）に対応する上りリンクコンポーネントキャリアと、下り
リンク（下りリンクセル）に対応する下りリンクコンポーネントキャリアとがある。本発明の各実施形態において、周波数と周波数帯域は同義的に使用され得る。
【０２２２】
例えば、ＣＡによって周波数帯域幅が２０ＭＨｚのコンポーネントキャリアを５つ集約した場合、ＣＡを可能な能力を持つ端末装置はこれらを１００ＭＨｚの周波数帯域幅とみなして送受信を行なってもよい。なお、集約するコンポーネントキャリアは連続した周波数であっても、すべてまたは一部が不連続となる周波数であってもよい。例えば、使用可能な周波数バンドが８００ＭＨｚ帯、２ＧＨｚ帯、３．５ＧＨｚ帯である場合、あるコンポーネントキャリアが８００ＭＨｚ帯、別のコンポーネントキャリアが２ＧＨｚ帯、さらに別のコンポーネントキャリアが３．５ＧＨｚ帯で送信されていてもよい。端末装置および／または基地局装置は、それらのオペレーティングバンドに属するコンポーネントキャリア（セルに相当するコンポーネントキャリア）を用いて同時に、送信および／または受信を行なってもよい。
【０２２３】
また、同一周波数帯の連続または不連続の複数のコンポーネントキャリアを集約することも可能である。各コンポーネントキャリアの周波数帯域幅は端末装置の受信可能周波数帯域幅（例えば、２０ＭＨｚ）よりも狭い周波数帯域幅（例えば、５ＭＨｚや１０ＭＨｚ）であってもよく、集約する周波数帯域幅が各々異なっていてもよい。ＮＲの機能を有する端末装置および／または基地局装置は、ＬＴＥセルと後方互換性を持つセルと、後方互換性を持たないセルの両方をサポートしてもよい。
【０２２４】
また、ＬＲの機能を有する端末装置および／または基地局装置は、ＬＴＥと後方互換性のない複数のコンポーネントキャリア（キャリアタイプ、セル）を集約してもよい。なお、基地局装置が端末装置に割り当てる（設定する、追加する）上りリンクコンポーネントキャリアの数は、下りリンクコンポーネントキャリアの数と同じか少なくてもよい。
【０２２５】
無線リソース要求のための上りリンク制御チャネルの設定が行なわれる上りリンクコンポーネントキャリアと、当該上りリンクコンポーネントキャリアとセル固有接続される下りリンクコンポーネントキャリアから構成されるセルは、ＰＣｅｌｌと称される。また、ＰＣｅｌｌ以外のコンポーネントキャリアから構成されるセルは、ＳＣｅｌｌと称される。端末装置は、ＰＣｅｌｌでページングメッセージの受信、報知情報の更新の検出、初期アクセス手順、セキュリティ情報の設定などを行なう一方、ＳＣｅｌｌではこれらを行なわなくてもよい。
【０２２６】
ＰＣｅｌｌは活性化（Activation）および不活性化（Deactivation）の制御の対象外であるが（つまり必ず活性化しているとみなされる）、ＳＣｅｌｌは活性化および不活性化という状態（state）を持ち、これらの状態の変更は、基地局装置から明示的に指定され
るほか、コンポーネントキャリア毎に端末装置に設定されるタイマーに基づいて状態が変更される。ＰＣｅｌｌとＳＣｅｌｌとを合わせてサービングセル（在圏セル）と称する。
【０２２７】
ＬＴＥセルとＬＲセルの両方をサポートしている端末装置および／または基地局装置は、ＬＴＥセルとＬＲセルの両方を用いて通信を行なう場合、ＬＴＥセルに関するセルグループとＬＲセルに関するセルグループを構成してもよい。つまり、ＬＴＥセルに関するセルグループとＬＲセルに関するセルグループのそれぞれにおいて、ＰＣｅｌｌに相当するセルが含まれてもよい。
【０２２８】
なお、ＣＡは、複数のコンポーネントキャリア（周波数帯域）を用いた複数のセルによる通信であり、セル・アグリゲーションとも称される。なお、端末装置は、周波数毎に中継局装置（またはリピーター）を介して基地局装置と無線接続（ＲＲＣ接続）されてもよい。すなわち、本実施形態の基地局装置は、中継局装置に置き換えられてもよい。
【０２２９】
基地局装置は端末装置が該基地局装置で通信可能なエリアであるセルを周波数毎に管理する。１つの基地局装置が複数のセルを管理していてもよい。セルは、端末装置と通信可能なエリアの大きさ（セルサイズ）に応じて複数の種別に分類される。例えば、セルは、マクロセルとスモールセルに分類される。さらに、スモールセルは、そのエリアの大きさに応じて、フェムトセル、ピコセル、ナノセルに分類される。また、端末装置がある基地局装置と通信可能であるとき、その基地局装置のセルのうち、端末装置との通信に使用されるように設定されているセルはサービングセルであり、その他の通信に使用されないセルは周辺セルと称される。
【０２３０】
言い換えると、ＣＡにおいて、設定された複数のサービングセルは、１つのＰＣｅｌｌと１つまたは複数のＳＣｅｌｌとを含む。
【０２３１】
ＰＣｅｌｌは、初期接続確立プロシージャ（RRC Connection establishment procedure）が行なわれたサービングセル、接続再確立プロシージャ（RRC Connection reestablishment procedure）を開始したサービングセル、または、ハンドオーバプロシージャにおいてＰＣｅｌｌと指示されたセルである。ＰＣｅｌｌは、プライマリ周波数でオペレーションする。接続が（再）確立された時点、または、その後に、ＳＣｅｌｌが設定されてもよい。ＳＣｅｌｌは、セカンダリ周波数でオペレーションする。なお、接続は、ＲＲＣ接続と称されてもよい。ＣＡをサポートしている端末装置に対して、１つのＰＣｅｌｌと１つ以上のＳＣｅｌｌで集約されてもよい。
【０２３２】
端末装置は、１つよりも多いサービングセルが設定されるか、セカンダリセルグループが設定されるとすれば、各サービングセルに対して、少なくとも所定の数のトランスポートブロックに対して、トランスポートブロックのコードブロックのデコーディング失敗に応じて、少なくとも所定の範囲に相当する受信したソフトチャネルビットを保持する。
【０２３３】
ＬＡＡ端末は、２つ以上の無線アクセス技術（ＲＡＴ）に対応する機能をサポートしてもよい。
【０２３４】
ＬＡＡ端末は、２つ以上のオペレーティングバンドをサポートする。つまり、ＬＡＡ端末は、ＣＡに関する機能をサポートしている。
【０２３５】
また、ＬＡＡ端末は、ＴＤＤ（Time Division Duplex）やＨＤ−ＦＤＤ（Half Duplex Frequency Division Duplex）をサポートしてもよい。また、ＬＡＡ端末は、ＦＤ−ＦＤ
Ｄ（Full Duplex FDD）をサポートしてもよい。ＬＡＡ端末は、どのデュプレックスモー
ド／フレーム構造タイプをサポートしているかを、能力情報などの上位層シグナリングを介して示してもよい。
【０２３６】
また、ＬＡＡ端末は、カテゴリーＸ（Ｘは所定の値）のＬＴＥ端末であってもよい。つまり、ＬＡＡ端末は、１つのＴＴＩで送信／受信可能なトランスポートブロックの最大ビット数が拡張されてもよい。ＬＴＥでは、１ＴＴＩは１サブフレームに相当する。
【０２３７】
なお、本発明の各実施形態において、ＴＴＩとサブフレームは個別に定義されてもよい。
【０２３８】
また、ＬＡＡ端末は、複数のデュプレックスモード／フレーム構造タイプをサポートしてもよい。
【０２３９】
フレーム構造タイプ１は、ＦＤ−ＦＤＤとＨＤ−ＦＤＤの両方に対して適用できる。Ｆ
ＤＤでは、各１０ｍｓ間隔で、下りリンク送信と上りリンク送信のそれぞれに対して１０サブフレームずつ利用できる。また、上りリンク送信と下りリンク送信は、周波数領域で分けられる。ＨＤ−ＦＤＤオペレーションにおいて、端末装置は、同時に送信と受信はできないが、ＦＤ−ＦＤＤオペレーションにおいてはその制限がない。
【０２４０】
周波数ホッピングや使用周波数が変更された際の、再チューニング時間（チューニングに必要な時間（サブフレーム数またはシンボル数））は上位層シグナリングによって設定されてもよい。
【０２４１】
例えば、ＬＡＡ端末において、サポートする下りリンク送信モード（ＰＤＳＣＨ送信モード）の数は削減されてもよい。つまり、基地局装置は、ＬＡＡ端末から能力情報として、下りリンク送信モードの数、または、そのＬＡＡ端末がサポートしている下りリンク送信モードが示された場合には、その能力情報に基づいて、下りリンク送信モードを設定する。なお、ＬＡＡ端末は、自身がサポートしてない下りリンク送信モードに対するパラメータが設定された場合、その設定を無視してもよい。つまり、ＬＡＡ端末は、サポートしていない下りリンク送信モードに対する処理を行なわなくてもよい。ここで、下りリンク送信モードは、設定された下りリンク送信モードやＲＮＴＩの種類、ＤＣＩフォーマット、サーチスペースに基づいて、ＰＤＣＣＨ／ＥＰＤＣＣＨに対応するＰＤＳＣＨの送信方式を示すために用いられる。端末装置は、それらの情報に基づいて、ＰＤＳＣＨが、アンテナポート０で送信されるのか、送信ダイバーシティで送信されるのか、複数のアンテナポートで送信されるのか、などが分かる。端末装置は、それらの情報に基づいて、受信処理を適切に行なうことができる。同じ種類のＤＣＩフォーマットからＰＤＳＣＨのリソース割り当てに関するＤＣＩを検出しても、下りリンク送信モードやＲＮＴＩの種類が異なる場合には、そのＰＤＳＣＨは、同じ送信方式で送信されるとは限らない。
【０２４２】
端末装置が、ＰＵＣＣＨとＰＵＳＣＨの同時送信に関する機能をサポートしている場合、且つ、ＰＵＳＣＨの繰り返し送信および／またはＰＵＣＣＨの繰り返し送信に関する機能をサポートしている場合には、ＰＵＳＣＨの送信が生じたタイミングまたはＰＵＣＣＨの送信が生じたタイミングにおいて、ＰＵＣＣＨとＰＵＳＣＨは、所定の回数、繰り返し送信が行なわれてもよい。つまり、同じタイミング（つまり、同じサブフレーム）でＰＵＣＣＨとＰＵＳＣＨの同時送信を行なってもよい。
【０２４３】
このような場合において、ＰＵＣＣＨには、ＣＳＩレポートやＨＡＲＱ−ＡＣＫ、ＳＲが含まれてもよい。
【０２４４】
ＰＣｅｌｌでは、すべての信号が送受信可能であるが、ＳＣｅｌｌでは、送受信できない信号があってもよい。例えば、ＰＵＣＣＨは、ＰＣｅｌｌでのみ送信される。また、ＰＲＡＣＨは、セル間で、複数のＴＡＧ（Timing Advance Group）が設定されない限り、ＰＣｅｌｌでのみ送信される。また、ＰＢＣＨは、ＰＣｅｌｌでのみ送信される。また、ＭＩＢは、ＰＣｅｌｌでのみ送信される。しかし、端末装置に、ＳＣｅｌｌでＰＵＣＣＨやＭＩＢを送信する機能がサポートされている場合には、基地局装置は、その端末装置に対して、ＰＵＣＣＨやＭＩＢをＳＣｅｌｌ（ＳＣｅｌｌに対応する周波数）で送信することを指示してもよい。つまり、端末装置がその機能をサポートしている場合には、基地局装置は、その端末装置に対して、ＰＵＣＣＨやＭＩＢをＳＣｅｌｌで送信するためのパラメータを設定してもよい。
【０２４５】
ＰＣｅｌｌでは、ＲＬＦ（Radio Link Failure）が検出される。ＳＣｅｌｌでは、ＲＬＦが検出される条件を満たしてもＲＬＦが検出されたと認識しない。ＰＣｅｌｌの下位層において、ＲＬＦの条件を満たした場合、ＰＣｅｌｌの下位層は、ＰＣｅｌｌの上位層へＲＬＦの条件が満たされたことを通知する。ＰＣｅｌｌでは、ＳＰＳ（Semi-Persistent 
Scheduling）やＤＲＸ（Discontinuous Transmission）を行なってもよい。ＳＣｅｌｌでは、ＰＣｅｌｌと同じＤＲＸを行なってもよい。ＳＣｅｌｌにおいて、ＭＡＣの設定に関する情報／パラメータは、基本的に、同じセルグループのＰＣｅｌｌと共有している。一部のパラメータ（例えば、ｓＴＡＧ−Ｉｄ）は、ＳＣｅｌｌ毎に設定されてもよい。一部のタイマーやカウンタが、ＰＣｅｌｌに対してのみ適用されてもよい。ＳＣｅｌｌに対してのみ、適用されるタイマーやカウンタが設定されてもよい。
【０２４６】
図７は、本実施形態に係る基地局装置２（eNB, en-gNB）のブロック構成の一例を示す
概略図である。基地局装置２は、上位層（上位層制御情報通知部）５０１、制御部（基地局制御部）５０２、コードワード生成部５０３、下りリンクサブフレーム生成部５０４、ＯＦＤＭ信号送信部（下りリンク送信部）５０６、送信アンテナ（基地局送信アンテナ）５０７、受信アンテナ（基地局受信アンテナ）５０８、ＳＣ−ＦＤＭＡ信号受信部（チャネル状態測定部および／またはＣＳＩ受信部）５０９、上りリンクサブフレーム処理部５１０を有する。下りリンクサブフレーム生成部５０４は、下りリンク参照信号生成部５０５を有する。また、上りリンクサブフレーム処理部５１０は、上りリンク制御情報抽出部（ＣＳＩ取得部／ＨＡＲＱ−ＡＣＫ取得部／ＳＲ取得部）５１１を有する。なお、ＳＣ−ＦＤＭＡ信号受信部５０９は、受信信号やＣＣＡ、干渉雑音電力の測定部も兼ねている。なお、ＳＣ−ＦＤＭＡ信号受信部は、端末装置がＯＦＤＭ信号の送信をサポートしている場合には、ＯＦＤＭ信号受信部であってもよいし、ＯＦＤＭ信号受信部を含んでもよい。なお、下りリンクサブフレーム生成部は、下りリンクＴＴＩ生成部であってもよいし、下りリンクＴＴＩ生成部を含んでもよい。下りリンクＴＴＩ生成部は、下りリンクＴＴＩを構成する物理チャネルおよび／または物理信号の生成部であってもよい。なお、上りリンクについても同様であってもよい。なお、図示しないが、基地局装置には、ＴＡコマンドを送信する送信部が含まれてもよい。また、基地局装置には、端末装置から報告された受信と送信間の時間差に関する測定結果を受信する受信部が含まれてもよい。
【０２４７】
図８は、本実施形態に係る端末装置１のブロック構成の一例を示す概略図である。端末装置１は、受信アンテナ（端末受信アンテナ）６０１、ＯＦＤＭ信号受信部（下りリンク受信部）６０２、下りリンクサブフレーム処理部６０３、トランスポートブロック抽出部（データ抽出部）６０５、制御部（端末制御部）６０６、上位層（上位層制御情報取得部）６０７、チャネル状態測定部（ＣＳＩ生成部）６０８、上りリンクサブフレーム生成部６０９、ＳＣ−ＦＤＭＡ信号送信部（ＵＣＩ送信部）６１１および６１２、送信アンテナ（端末送信アンテナ）６１３および６１４を有する。下りリンクサブフレーム処理部６０３は、下りリンク参照信号抽出部６０４を有する。また、上りリンクサブフレーム生成部６０９は、上りリンク制御情報生成部（ＵＣＩ生成部）６１０を有する。なお、ＯＦＤＭ信号受信部６０２は、受信信号やＣＣＡ、干渉雑音電力の測定部も兼ねている。つまり、ＯＦＤＭ信号受信部６０２において、ＲＲＭ測定が行なわれてもよい。端末装置がＯＦＤＭ信号の送信をサポートしている場合には、ＳＣ−ＦＤＭＡ信号送信部は、ＯＦＤＭ信号送信部であってもよいし、ＯＦＤＭ信号送信部を含んでもよい。なお、上りリンクサブフレーム生成部は、上りリンクＴＴＩ生成部であってもよいし、下りリンクＴＴＩ生成部を含んでもよい。また、端末装置は、上りリンク信号の送信電力を制御／セットするための電力制御部を含んでもよい。なお、図示しないが、端末装置には、端末装置の受信と送信間の時間差を測定するための測定部が含まれてもよい。また、端末装置には、時間差の測定結果を報告する送信部が含まれてもよい。
【０２４８】
図７と図８のそれぞれにおいて、上位層は、ＭＡＣ（Medium Access Control）層やＲ
ＬＣ（Radio Link Control）層、ＰＤＣＰ（Packet Data Convergence Protocol）層、ＲＲＣ（Radio Resource Control）層を含んでもよい。
【０２４９】
ＲＬＣ層は、上位層へＴＭ（Transparent Mode）データ伝送、ＵＭ（Unacknowledged M
ode）データ伝送、上位層のＰＤＵ（Packet Data Unit）の伝送が成功したことを示すイ
ンディケーションを含むＡＭ（Acknowledged Mode）データ伝送を行なう。また、下位層
へはデータ伝送と、送信機会において送信されたＲＬＣ  ＰＤＵの全サイズとともに、送信機会の通知を行なう。
【０２５０】
ＲＬＣ層は、上位層ＰＤＵの伝送に関する機能、（ＡＭデータ伝送に対してだけ）ＡＲＱ（Automatic Repeat reQuest）を介したエラー補正に関する機能、（ＵＭとＡＭデータ伝送に対してだけ）ＲＬＣ  ＳＤＵ（Service Data Unit）の結合／分割／再構築に関す
る機能、（ＡＭデータ伝送に対して）ＲＬＣデータＰＤＵの再分割に関する機能、（ＡＭデータ伝送に対してだけ）ＲＬＣデータＰＤＵの並び替えに関する機能、（ＵＭとＡＭデータ伝送に対してだけ）重複検出に関する機能、（ＵＭとＡＭデータ伝送に対してだけ）ＲＬＣ  ＳＤＵの破棄に関する機能、ＲＬＣの再確立に関する機能、（ＡＭデータ伝送に対してだけ）プロトコルエラー検出に関する機能をサポートしている。
【０２５１】
まず、図７および図８を用いて、下りリンクデータの送受信の流れについて説明する。基地局装置２において、制御部５０２は、下りリンクにおける変調方式および符号化率などを示すＭＣＳ（Modulation and Coding Scheme）、データ送信に用いるＲＢを示す下りリンクリソース割り当て、ＨＡＲＱの制御に用いる情報（リダンダンシーバージョン、ＨＡＲＱプロセス番号、ＮＤＩ）を保持し、これらに基づいてコードワード生成部５０３や下りリンクサブフレーム生成部５０４を制御する。上位層５０１から送られてくる下りリンクデータ（下りリンクトランスポートブロック、ＤＬ−ＳＣＨデータ、ＤＬ−ＳＣＨトランスポートブロックとも称す）は、コードワード生成部５０３において、制御部５０２の制御の下で、誤り訂正符号化やレートマッチング処理などの処理が施され、コードワードが生成される。１つのセルにおける１つのサブフレームにおいて、最大２つのコードワードが同時に送信される。下りリンクサブフレーム生成部５０４では、制御部５０２の指示により、下りリンクサブフレームが生成される。まず、コードワード生成部５０３において生成されたコードワードは、ＰＳＫ（Phase Shift Keying）変調やＱＡＭ（Quadrature Amplitude Modulation）変調などの変調処理により、変調シンボル系列に変換される
。また、変調シンボル系列は、一部のＲＢ内のＲＥにマッピングされ、プレコーディング処理によりアンテナポート毎の下りリンクサブフレームが生成される。このとき、上位層５０１から送られてくる送信データ系列は、上位層における制御情報（例えば専用（個別）ＲＲＣ（Radio Resource Control）シグナリング）である上位層制御情報を含む。また、下りリンク参照信号生成部５０５では、下りリンク参照信号が生成される。下りリンクサブフレーム生成部５０４は、制御部５０２の指示により、下りリンク参照信号を下りリンクサブフレーム内のＲＥにマッピングする。下りリンクサブフレーム生成部５０４で生成された下りリンクサブフレームは、ＯＦＤＭ信号送信部５０６においてＯＦＤＭ信号に変調され、送信アンテナ５０７を介して送信される。なお、ここではＯＦＤＭ信号送信部５０６と送信アンテナ５０７を一つずつ有する構成を例示しているが、複数のアンテナポートを用いて下りリンクサブフレームを送信する場合は、ＯＦＤＭ信号送信部５０６と送信アンテナ５０７とを複数有する構成であってもよい。また、下りリンクサブフレーム生成部５０４は、ＰＤＣＣＨやＥＰＤＣＣＨまたはＰＤＣＣＨやＥＰＤＣＣＨに相当する制御チャネル／共用チャネルなどの物理層の下りリンク制御チャネルを生成して下りリンクサブフレーム内のＲＥにマッピングする能力も有することができる。複数の基地局装置は、それぞれ個別の下りリンクサブフレームを送信する。
【０２５２】
端末装置１では、受信アンテナ６０１を介して、ＯＦＤＭ信号受信部６０２においてＯＦＤＭ信号が受信され、ＯＦＤＭ復調処理が施される。
【０２５３】
下りリンクサブフレーム処理部６０３は、まずＰＤＣＣＨやＥＰＤＣＣＨまたはＰＤＣＣＨやＥＰＤＣＣＨに相当する制御チャネルなどの物理層の下りリンク制御チャネルを検
出する。より具体的には、下りリンクサブフレーム処理部６０３は、ＰＤＣＣＨやＥＰＤＣＣＨまたはＰＤＣＣＨやＥＰＤＣＣＨに相当する制御チャネル／共用チャネルが割り当てられる領域においてＰＤＣＣＨやＥＰＤＣＣＨまたはＰＤＣＣＨやＥＰＤＣＣＨに相当する制御チャネルが送信されたものとして復号し、予め付加されているＣＲＣ（Cyclic Redundancy Check）ビットを確認する（ブラインド復号）。すなわち、下りリンクサブフ
レーム処理部６０３は、ＰＤＣＣＨやＥＰＤＣＣＨまたはＰＤＣＣＨやＥＰＤＣＣＨに相当する制御チャネル／共用チャネルをモニタリングする。ＣＲＣビットが予め基地局装置から割り当てられたＩＤ（Ｃ−ＲＮＴＩ、ＳＰＳ−Ｃ−ＲＮＴＩなど１つの端末に対して１つ割り当てられる端末固有識別子（UEID）、あるいはＴｅｍｐｏｒａｌｙ  Ｃ−ＲＮＴＩ）と一致する場合、下りリンクサブフレーム処理部６０３は、ＰＤＣＣＨあるいはＥＰＤＣＣＨまたはＰＤＣＣＨやＥＰＤＣＣＨに相当する制御チャネル／共用チャネルを検出できたものと認識し、検出したＰＤＣＣＨあるいはＥＰＤＣＣＨまたはＰＤＣＣＨやＥＰＤＣＣＨに相当する制御チャネルに含まれる制御情報を用いてＰＤＳＣＨまたはＰＤＳＣＨに相当するデータチャネル／共用チャネルを取り出す。
【０２５４】
制御部６０６は、制御情報に基づく下りリンクにおける変調方式および符号化率などを示すＭＣＳ、下りリンクデータ送信に用いるＲＢを示す下りリンクリソース割り当て、ＨＡＲＱの制御に用いる情報を保持し、これらに基づいて下りリンクサブフレーム処理部６０３やトランスポートブロック抽出部６０５などを制御する。より具体的には、制御部６０６は、下りリンクサブフレーム生成部５０４におけるＲＥマッピング処理や変調処理に対応するＲＥデマッピング処理や復調処理などを行なうように制御する。受信した下りリンクサブフレームから取り出されたＰＤＳＣＨは、トランスポートブロック抽出部６０５に送られる。また、下りリンクサブフレーム処理部６０３内の下りリンク参照信号抽出部６０４は、下りリンクサブフレームからＤＬＲＳを取り出す。
【０２５５】
トランスポートブロック抽出部６０５では、コードワード生成部５０３におけるレートマッチング処理、誤り訂正符号化に対応するレートマッチング処理、誤り訂正復号化などが施され、トランスポートブロックが抽出され、上位層６０７に送られる。トランスポートブロックには、上位層制御情報が含まれており、上位層６０７は上位層制御情報に基づいて制御部６０６に必要な物理層パラメータを知らせる。なお、複数の基地局装置２は、それぞれ個別の下りリンクサブフレームを送信しており、端末装置１ではこれらを受信するため、上述の処理を複数の基地局装置２毎の下りリンクサブフレームに対して、それぞれ行うようにしてもよい。このとき、端末装置１は複数の下りリンクサブフレームが複数の基地局装置２から送信されていると認識してもよいし、認識しなくてもよい。認識しない場合、端末装置１は、単に複数のセルにおいて複数の下りリンクサブフレームが送信されていると認識するだけでもよい。また、トランスポートブロック抽出部６０５では、トランスポートブロックが正しく検出できたか否かを判定し、判定結果は制御部６０６に送られる。
【０２５６】
ここで、トランスポートブロック抽出部６０５には、バッファ部（ソフトバッファ部）を含んでもよい。バッファ部において、抽出したトランスポートブロックの情報を一時的に記憶することができる。例えば、トランスポートブロック抽出部６０５は、同じトランスポートブロック（再送されたトランスポートブロック）を受信した場合、このトランスポートブロックに対するデータの復号が成功していないとすれば、バッファ部に一時的に記憶したこのトランスポートブロックに対するデータと新たに受信したデータを結合（合成）し、結合したデータを復号しようと試みる。バッファ部は、一時的に記憶したデータが必要なくなれば、もしくは、所定の条件を満たせば、そのデータをフラッシュする。フラッシュするデータの条件は、データに対応するトランスポートブロックの種類によって異なる。バッファ部は、データの種類毎に、用意されてもよい。例えば、バッファ部として、メッセージ３バッファやＨＡＲＱバッファが用意されてもよいし、Ｌ１／Ｌ２／Ｌ３
などレイヤ毎に用意されてもよい。なお、情報／データをフラッシュするとは、情報やデータが格納されたバッファをフラッシュすることを含む。
【０２５７】
次に、上りリンク信号の送受信の流れについて説明する。端末装置１では制御部６０６の指示の下で、下りリンク参照信号抽出部６０４で抽出された下りリンク参照信号がチャネル状態測定部６０８に送られ、チャネル状態測定部６０８においてチャネル状態および／または干渉が測定され、さらに測定されたチャネル状態および／または干渉に基づいて、ＣＳＩが算出される。また、制御部６０６は、トランスポートブロックが正しく検出できたか否かの判定結果に基づいて、上りリンク制御情報生成部６１０にＨＡＲＱ−ＡＣＫ（ＤＴＸ（未送信）、ＡＣＫ（検出成功）またはＮＡＣＫ（検出失敗））の生成および下りリンクサブフレームへのマッピングを指示する。端末装置１は、これらの処理を複数のセル毎の下りリンクサブフレームに対して、それぞれ行う。上りリンク制御情報生成部６１０では、算出されたＣＳＩおよび／またはＨＡＲＱ−ＡＣＫを含むＰＵＣＣＨまたはＰＵＣＣＨに相当する制御チャネル／共用チャネルが生成される。上りリンクサブフレーム生成部６０９では、上位層６０７から送られる上りリンクデータを含むＰＵＳＣＨまたはＰＵＳＣＨに相当するデータチャネル／共用チャネルと、上りリンク制御情報生成部６１０において生成されるＰＵＣＣＨまたは制御チャネルとが上りリンクサブフレーム内のＲＢにマッピングされ、上りリンクサブフレームが生成される。
【０２５８】
受信アンテナ５０８を介して、ＳＣ−ＦＤＭＡ信号受信部５０９においてＳＣ−ＦＤＭＡ信号が受信され、ＳＣ−ＦＤＭＡ復調処理が施される。上りリンクサブフレーム処理部５１０では、制御部５０２の指示により、ＰＵＣＣＨがマッピングされたＲＢを抽出し、上りリンク制御情報抽出部５１１においてＰＵＣＣＨに含まれるＣＳＩを抽出する。抽出されたＣＳＩは制御部５０２に送られる。ＣＳＩは、制御部５０２による下りリンク送信パラメータ（ＭＣＳ、下りリンクリソース割り当て、ＨＡＲＱなど）の制御に用いられる。なお、ＳＣ−ＦＤＭＡ信号受信部は、ＯＦＤＭ信号受信部であってもよい。また、ＳＣ−ＦＤＭＡ信号受信部は、ＯＦＤＭ信号受信部を含んでもよい。
【０２５９】
基地局装置は、パワーヘッドルームレポートから、端末装置が設定した最大出力電力ＰＣＭＡＸを想定し、端末装置から受信した物理上りリンクチャネルに基づいて、各物理上りリンクチャネルに対する電力の上限値を想定する。基地局装置は、それらの想定に基づいて、物理上りリンクチャネルに対する送信電力制御コマンドの値を決定し、下りリンク制御情報フォーマットを伴うＰＤＣＣＨを用いて、端末装置に送信する。そうすることによって、端末装置から送信される物理上りリンクチャネル／信号（または上りリンク物理チャネル／物理信号）の送信電力の電力調整が行なわれる。
【０２６０】
基地局装置は、端末装置に対してＰＤＣＣＨ（ＥＰＤＣＣＨ）／ＰＤＳＣＨ（またはこれらに相当するＬＲセルの共用チャネル／制御チャネル）を送信する場合、ＰＢＣＨ（またはＰＢＣＨに相当する報知チャネル）のリソースに割り当てないようにＰＤＣＣＨ／ＰＤＳＣＨのリソース割り当てを行なう。
【０２６１】
ＰＤＳＣＨは、端末装置に対するＳＩＢ／ＲＡＲ／ページング／ユニキャストのそれぞれに関するメッセージ／情報を伝送するために用いられてもよい。
【０２６２】
ＰＵＳＣＨに対する周波数ホッピングは、グラントの種類に応じて個別に設定されてもよい。例えば、ダイナミックスケジュールグラント、セミパーシステントグラント、ＲＡＲグラントのそれぞれに対応するＰＵＳＣＨの周波数ホッピングに用いられるパラメータの値は個別に設定されてもよい。それらのパラメータは、上りリンクグラントで示されなくてもよい。また、それらのパラメータは、システムインフォメーションを含む上位層シグナリングを介して設定されてもよい。
【０２６３】
上述した種々のパラメータは物理チャネル毎に設定されてもよい。また、上述した種々のパラメータは端末装置毎に設定されてもよい。また、上述したパラメータは端末装置間で共通に設定されてもよい。ここで、上述した種々のパラメータはシステムインフォメーションを用いて設定されてもよい。また、上述した種々のパラメータは上位層シグナリング（ＲＲＣシグナリング、ＭＡＣ  ＣＥ）を用いて設定されてもよい。また、上述した種々のパラメータはＰＤＣＣＨ／ＥＰＤＣＣＨを用いて設定されてもよい。上述した種々のパラメータはブロードキャストインフォメーションとして設定されてもよい。また、上述した種々のパラメータはユニキャストインフォメーションとして設定されてもよい。
【０２６４】
なお、上述した実施形態では、各ＰＵＳＣＨ送信に要求される電力値は、上位層により設定されるパラメータ、リソースアサインメントによってそのＰＵＳＣＨ送信に割り当てられたＰＲＢ数によって決まる調整値、下りリンクパスロスおよびそれに乗算される係数、ＵＣＩに適用されるＭＣＳのオフセットを示すパラメータによって決まる調整値、ＴＰＣコマンドによって得られる補正値などに基づいて算出されるものとして説明した。また、各ＰＵＣＣＨ送信に要求される電力値は、上位層により設定されるパラメータ、下りリンクパスロス、そのＰＵＣＣＨで送信されるＵＣＩによって決まる調整値、ＰＵＣＣＨフォーマットによって決まる調整値、そのＰＵＣＣＨの送信に用いられるアンテナポート数によって決まる調整値、ＴＰＣコマンドに基づく値などに基づいて算出されるものとして説明した。しかしながら、これに限るものではない。要求される電力値に対して上限値を設け、上記パラメータに基づく値と上限値（例えば、サービングセルｃにおける最大出力電力値であるＰＣＭＡＸ，ｃ）との間の最小値を、要求される電力値として用いることもできる。
【０２６５】
本発明に関わる基地局装置および端末装置で動作するプログラムは、本発明に関わる上記実施形態の機能を実現するように、ＣＰＵ（Central Processing Unit）等を制御する
プログラム（コンピュータを機能させるプログラム）であってもよい。そして、これら装置で取り扱われる情報は、その処理時に一時的にＲＡＭ（Random Access Memory）に蓄積され、その後、Ｆｌａｓｈ  ＲＯＭ（Read Only Memory）などの各種ＲＯＭやＨＤＤ（Hard Disk Drive）に格納され、必要に応じてＣＰＵによって読み出し、修正・書き込みが
行なわれる。
【０２６６】
なお、上述した実施形態における端末装置および／または基地局装置の一部をコンピュータで実現するようにしてもよい。その場合、この制御機能を実現するためのプログラムをコンピュータが読み取り可能な記録媒体に記録して、この記録媒体に記録されたプログラムをコンピュータシステムに読み込ませ、実行することによって実現してもよい。
【０２６７】
なお、「コンピュータシステム」とは、端末装置または基地局装置に内蔵されたコンピュータシステムであって、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。
【０２６８】
さらに、「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでもよい。また上記プログラムは、前述した機能の一部を実現するためのものであってもよく、さらに前述した機能をコンピュータシステムにすでに記録されているプログラムとの組み合わせで実現できるものであってもよい。
【０２６９】
また、上述した実施形態における基地局装置は、複数の装置から構成される集合体（装置グループ）として実現することもできる。装置グループを構成する装置の各々は、上述した実施形態に関わる基地局装置の各機能または各機能ブロックの一部、または、全部を備えてもよい。装置グループとして、基地局装置の一通りの各機能または各機能ブロックを有していればよい。また、上述した実施形態に関わる端末装置は、集合体としての基地局装置と通信することも可能である。
【０２７０】
また、上述した実施形態における基地局装置は、ＥＵＴＲＡＮであってもよい。また、上述した実施形態における基地局装置２は、ｅＮｏｄｅＢに対する上位ノードの機能の一部または全部を有してもよい。
【０２７１】
また、上述した実施形態における端末装置、基地局装置の一部、または、全部を典型的には集積回路であるＬＳＩとして実現してもよいし、チップセットとして実現してもよい。端末装置、基地局装置の各機能ブロックは個別にチップ化してもよいし、一部、又は全部を集積してチップ化してもよい。また、集積回路化の手法はＬＳＩに限らず専用回路、または、汎用プロセッサで実現してもよい。また、半導体技術の進歩によりＬＳＩに代替する集積回路化の技術が出現した場合、当該技術による集積回路を用いることも可能である。
【０２７２】
また、上述した実施形態では、端末装置もしくは通信装置の一例としてセルラー移動局装置（携帯電話、携帯端末）を記載したが、本願発明は、これに限定されるものではなく、屋内外に設置される据え置き型、または非可動型の電子機器、たとえば、ＡＶ機器、キッチン機器（例えば、冷蔵庫や電子レンジなど）、掃除・洗濯機器、空調機器、オフィス機器、自動販売機、カーナビゲーションなどの車載搭載機、その他生活機器などの端末装置もしくは通信装置にも適用できる。
【０２７３】
本発明の上述した実施形態に関して図面を参照して詳述してきたが、具体的な構成はこの実施形態に限られるものではなく、この発明の要旨を逸脱しない範囲の設計変更等も含まれる。また、本発明は、請求項に示した範囲で種々の変更が可能であり、異なる実施形態にそれぞれ開示された技術的手段を適宜組み合わせて得られる実施形態についても本発明の技術的範囲に含まれる。また、上述した実施形態に記載された要素であり、同様の効果を奏する要素同士を置換した構成も含まれてもよい。
【０２７４】
以上のことから、本発明は、以下の特徴を有する。
【０２７５】
（１）本発明の一態様による基地局装置は、ＥＮ−ＤＣ（EUTRA NR Dual Connectivity）設定およびＤＣＩ（Downlink Control Information）フォーマットを送信する送信部と、を備え、前記ＥＮ−ＤＣ設定に、ＥＵＴＲＡセルに対するシングル送信に関するパラメータをセットする場合、且つ、プライマリセルのデュプレックスモードがＦＤＤ（Frequency Division Duplex）である場合、前記ＤＣＩフォーマットをＣ−ＲＮＴＩ（Cell Radio Network Temporary Identifier）によって与えられたＵＳＳ（UE specific Search Space）にマップするとすれば、前記ＤＣＩフォーマットに含まれるＨＰＮ（HARQ process number）フィールドのビット数を４ビットにセットし、前記ＤＣＩフォーマットをＣＳＳ
（Common Search Space）にマップするとすれば、前記ＤＣＩフォーマットに含まれるＨ
ＰＮフィールドのビット数を３ビットにセットする。
【０２７６】
（２）本発明の一態様による端末装置は、ＥＮ−ＤＣ（EUTRA NR Dual Connectivity）設定およびＤＣＩ（Downlink Control Information）フォーマットを受信する受信部と、を備え、ＥＮ−ＤＣ設定において、ＥＵＴＲＡセルに対するシングル送信に関するパラメ
ータが設定されている場合、且つ、プライマリセルのデュプレックスモードがＦＤＤ（Frequency Division Duplex）である場合、前記ＤＣＩフォーマットがＣ−ＲＮＴＩ（Cell Radio Network Temporary Identifier）によって与えられたＵＳＳ（UE specific Search
Space）にマップされているとすれば、前記ＤＣＩフォーマットに含まれるＨＰＮ（HARQ
process number）フィールドのビット数が４ビットにセットされるものとしてデコーデ
ィングを行ない、前記ＤＣＩフォーマットがＣＳＳ（Common Search Space）にマップさ
れているとすれば、前記ＤＣＩフォーマットに含まれるＨＰＮフィールドのビット数が３ビットにセットされるものとしてデコーディングを行なう。
【０２７７】
（３）本発明の一態様による方法は、基地局装置の方法であって、ＥＮ−ＤＣ（EUTRA NR Dual Connectivity）設定およびＤＣＩ（Downlink Control Information）フォーマットを送信するステップと、前記ＥＮ−ＤＣ設定に、ＥＵＴＲＡセルに対するシングル送信に関するパラメータをセットする場合、且つ、プライマリセルのデュプレックスモードがＦＤＤ（Frequency Division Duplex）である場合、前記ＤＣＩフォーマットをＣ−ＲＮ
ＴＩ（Cell Radio Network Temporary Identifier）によって与えられたＵＳＳ（UE specific Search Space）にマップするとすれば、前記ＤＣＩフォーマットに含まれるＨＰＮ
（HARQ process number）フィールドのビット数を４ビットにセットするステップと、前
記ＤＣＩフォーマットをＣＳＳ（Common Search Space）にマップするとすれば、前記Ｄ
ＣＩフォーマットに含まれるＨＰＮフィールドのビット数を３ビットにセットするステップと、を含む。
【０２７８】
（４）本発明の一態様による方法は、端末装置の方法であって、ＥＮ−ＤＣ（EUTRA NR
Dual Connectivity）設定およびＤＣＩ（Downlink Control Information）フォーマットを受信するステップと、前記ＥＮ−ＤＣ設定において、ＥＵＴＲＡセルに対するシングル送信に関するパラメータが設定されている場合、且つ、プライマリセルのデュプレックスモードがＦＤＤ（Frequency Division Duplex）である場合、前記ＤＣＩフォーマットが
Ｃ−ＲＮＴＩ（Cell Radio Network Temporary Identifier）によって与えられたＵＳＳ
（UE specific Search Space）にマップされているとすれば、前記ＤＣＩフォーマットに含まれるＨＰＮ（HARQ process number）フィールドのビット数が４ビットにセットされ
るものとしてデコーディングを行なうステップと、前記ＤＣＩフォーマットがＣＳＳ（Common Search Space）にマップされているとすれば、前記ＤＣＩフォーマットに含まれる
ＨＰＮフィールドのビット数が３ビットにセットされるものとしてデコーディングを行なうステップと、を含む。
【０２７９】
（５）本発明の一態様による基地局装置は、ＥＮ−ＤＣ（EUTRA NR Dual Connectivity）設定およびＥＵＴＲＡセルに関する設定を送信する送信部と、を備え、前記ＥＮ−ＤＣ設定に、ＥＵＴＲＡセルに対するシングル送信に関するパラメータを含む場合、且つ、ＥＵＴＲＡ  ＣＧ（Cell Group）において、少なくとも１つのＴＤＤ（Time Division Duplex）セルを含む場合、ｈａｒｑ−Ｏｆｆｓｅｔ−ｒ１５の値を０にセットする。
【０２８０】
（６）本発明の一態様による端末装置は、ＥＮ−ＤＣ（EUTRA NR Dual Connectivity）設定およびＥＵＴＲＡセルに関する設定を送信する受信部と、を備え、ＥＮ−ＤＣ設定に、ＥＵＴＲＡセルに対するシングル送信に関するパラメータを含む場合、且つ、ＥＵＴＲＡ  ＣＧ（Cell Group）において、少なくとも１つのＴＤＤ（Time Division Duplex）セルを含む場合、ｈａｒｑ−Ｏｆｆｓｅｔ−ｒ１５の値が０にセットされていると想定し、ＨＡＲＱ−ＡＣＫ送信のためのＤＬ参照ＵＬ／ＤＬ設定を決定する。
【０２８１】
（７）本発明の一態様による方法は、基地局装置の方法であって、ＥＮ−ＤＣ（EUTRA NR Dual Connectivity）設定およびＥＵＴＲＡセルに関する設定を送信するステップと前記ＥＮ−ＤＣ設定に、ＥＵＴＲＡセルに対するシングル送信に関するパラメータを含む場
合、且つ、ＥＵＴＲＡ  ＣＧ（Cell Group）において、少なくとも１つのＴＤＤ（Time Division Duplex）セルを含む場合、ｈａｒｑ−Ｏｆｆｓｅｔ−ｒ１５の値を０にセットするステップと、を含む。
【０２８２】
（８）本発明の一態様による方法は、端末装置の方法であって、ＥＮ−ＤＣ（EUTRA NR
Dual Connectivity）設定およびＥＵＴＲＡセルに関する設定を送信するステップと、ＥＮ−ＤＣ設定に、ＥＵＴＲＡセルに対するシングル送信に関するパラメータを含む場合、且つ、ＥＵＴＲＡ  ＣＧ（Cell Group）において、少なくとも１つのＴＤＤ（Time Division Duplex）セルを含む場合、ｈａｒｑ−Ｏｆｆｓｅｔ−ｒ１５の値が０にセットされていると想定し、ＨＡＲＱ−ＡＣＫ送信のためのＤＬ参照ＵＬ／ＤＬ設定を決定するステップと、を含む。
【符号の説明】
【０２８３】
５０１  上位層
５０２  制御部
５０３  コードワード生成部
５０４  下りリンクサブフレーム生成部
５０５  下りリンク参照信号生成部
５０６  ＯＦＤＭ信号送信部
５０７  送信アンテナ
５０８  受信アンテナ
５０９  ＳＣ−ＦＤＭＡ信号受信部
５１０  上りリンクサブフレーム処理部
５１１  上りリンク制御情報抽出部
６０１  受信アンテナ
６０２  ＯＦＤＭ信号受信部
６０３  下りリンクサブフレーム処理部
６０４  下りリンク参照信号抽出部
６０５  トランスポートブロック抽出部
６０６  制御部
６０７  上位層
６０８  チャネル状態測定部
６０９  上りリンクサブフレーム生成部
６１０  上りリンク制御情報生成部
６１１、６１２  ＳＣ−ＦＤＭＡ信号送信部
６１３、６１４  送信アンテナ
【図１】
2019140634.tif 000003
【図２】
2019140634.tif 000004
【図３】
2019140634.tif 000005
【図４】
2019140634.tif 000006
【図５】
2019140634.tif 000007
【図６】
2019140634.tif 000008
【図７】
2019140634.tif 000009
【図８】
2019140634.tif 000010